(57)【要約】【課題】封印がなされた場合にはかしめピンの抜き取りを困難とする一方、封印手段が破壊された場合にはかしめピンの抜き取りを容易とすることができる遊技機を提供すること。【解決手段】第１ピン７５０の第１係止爪７５４を張出面７１４ａで係止させた後、第１ピン７５０の挿入孔７５３へ第２ピン７７０を挿入し、第２係止爪７７１を爪係止部７５５ａに係止させる。これにより、第１係止爪７５４の裏面側に変位規制部７７２が位置することで、第１係止爪７５４の変位を規制することができ、第１ピン７５０の抜き取りを不可能とすることができる。一方、基板側封印部７１０を主制御基板ケースから切り離すことで、第２係止爪７７１を露出させることができるので、第２ピン７７０を抜き取ることで、第１ピン７５０を容易に抜き取ることができる。【選択図】図２６
2014147750.tif 000002
【特許請求の範囲】
【請求項１】
回路基板を被包すると共にその回路基板を遊技機本体に取着する第１部材及び第２部材と、前記第２部材に第１部材を封印する封印手段とを備える遊技機において、
前記封印手段は、前記第１部材に配設される第１封印部と、前記第２部材に配設される第２封印部と、前記第１封印部と前記第２封印部とを連結する封印ピンとを備え、
前記封印ピンは、第１ピンとその第１ピンに挿入される第２ピンとを備え、
前記第１ピンは、前記第１封印部に係止される第１係止爪と、前記第２封印部に係合される係合部と、前記第２ピンを受け入れる挿入孔とを備え、前記第１封印部を貫通した状態で前記係合部を前記第２封印部に嵌め込み係合させるものであり、
前記第２ピンは、前記第１ピンの係合部に係止される第２係止爪と、前記第１ピンの挿入孔に挿入された場合に前記第１係止爪の変位を規制する変位規制部とを備え、
前記第１ピンの係合部を前記第２封印部に係合させると共に、前記第１封印部によって前記第１ピンの第１係止爪を係止させ、かつ、前記第２ピンの変位規制部によって前記第１係合爪の変位を規制させると共に、前記第１ピンの係合部によって前記第２係止爪を係止させることで、前記第２部材に前記第１部材を封印することを特徴とする遊技機。
【発明の詳細な説明】
【技術分野】
【０００１】
本発明は、遊技機に関し、特に、パチンコ球等の遊技球を使用して、スロットマシン等の回胴遊技機の遊技を楽しむことができる遊技球使用回胴式の遊技機に関するものである。
【背景技術】
【０００２】
遊技機の代表例としての回胴式遊技機では、遊技の内容を統括制御する主制御基板が設けられている。この主制御基板は、透明樹脂で形成される基板ケース内に収納される。そして、主制御基板が収納された基板ケースは、ベース部材を介して遊技機本体に装着される。
【０００３】
基板ケースは、ベース部材からの取り外しが簡単に行われないように、いわゆるかしめ手段と呼ばれるものを用いてベース部材に取り付けられている。このかしめ手段（封印手段）を用いた取り付け（封印）が行われると、かしめ手段を破壊しない限り、基板ケースをベース部材から取り外すことが不可能となる。
【０００４】
即ち、かしめ手段は、かしめ部（基板側封印部又はベース側封印部）とかしめピン（封印ピン）とを備えると共に、かしめピンがかしめ部に取り外し不可能に挿入される構成とされているので、かしめピンがかしめ部に一端挿入されると、基板ケースをベース部材から取り外すには、かしめ部を切断することが必要となる。
これにより、かしめ部の状態を確認することで、基板ケースがベース部材から取り外されたか否か、即ち、主制御基板が遊技機本体から取り外されたか否かを判断することができる。
【先行技術文献】
【特許文献】
【０００５】
【特許文献１】特開２００２−２８２４９９号
【発明の概要】
【発明が解決しようとする課題】
【０００６】
ところで、上述のような遊技機では、主制御基板の点検に伴い基板ケースをベース部材から取り外す必要があるため、かしめ部を複数個設けることで、複数回の取り外しを可能としている。一方で、かしめピンについては、不正防止の観点より、点検毎に同じかしめピンを再利用するように構成されている。
【０００７】
そのため、かしめピンを再利用する際には、切断したかしめ部からかしめピンを抜き取る必要があり、この場合には、かしめピンの抜き取りを簡単に行える構造が求められている。しかしながら、かしめピンをかしめ部から簡単に抜き取り可能な構造とした場合には、かしめピンがかしめ部から不正に抜き取られるおそれがあるという問題点があった。
【０００８】
本発明は上述した問題点を解決するためになされたものであり、封印がなされた場合にはかしめピンの抜き取りを困難とする一方、封印手段が破壊された場合にはかしめピンの抜き取りを容易とすることができる遊技機を提供することを目的としている。
【課題を解決するための手段】
【０００９】
この目的を達成するために、請求項１記載の遊技機は、回路基板を被包すると共にその回路基板を遊技機本体に取着する第１部材及び第２部材と、前記第２部材に第１部材を封印する封印手段とを備えるものであり、前記封印手段は、前記第１部材に配設される第１封印部と、前記第２部材に配設される第２封印部と、前記第１封印部と前記第２封印部とを連結する封印ピンとを備え、前記封印ピンは、第１ピンとその第１ピンに挿入される第２ピンとを備え、前記第１ピンは、前記第１封印部に係止される第１係止爪と、前記第２封印部に係合される係合部と、前記第２ピンを受け入れる挿入孔とを備え、前記第１封印部を貫通した状態で前記係合部を前記第２封印部に嵌め込み係合させるものであり、前記第２ピンは、前記第１ピンの係合部に係止される第２係止爪と、前記第１ピンの挿入孔に挿入された場合に前記第１係止爪の変位を規制する変位規制部とを備え、前記第１ピンの係合部を前記第２封印部に係合させると共に、前記第１封印部によって前記第１ピンの第１係止爪を係止させ、かつ、前記第２ピンの変位規制部によって前記第１係合爪の変位を規制させると共に、前記第１ピンの係合部によって前記第２係止爪を係止させることで、前記第２部材に前記第１部材を封印する。
【００１０】
請求項２記載の遊技機は、請求項１記載の遊技機において、前記第１封印部及び第２封印部と前記第１ピンとが光透過性材料から構成されると共に、少なくとも前記第１ピンの光透過性が前記第１封印部及び第２封印部の光透過性よりも低い。
【００１１】
請求項３記載の遊技機は、請求項１又は２に記載の遊技機において、前記第１ピンの挿入孔は、前記第１ピンの後端面から先端面にかけて貫通形成され、前記第２ピンは、前記挿入孔へ前記第１ピンの後端面側から挿入されると共に前記挿入孔へ挿入された場合に前記第１ピンの先端面に前記第２係止爪が係止され、前記第１ピンは、前記第１ピンの先端面から軸方向へ向けて延設されるスリットを備えている。
【００１２】
請求項４記載の遊技機は、請求項３記載の遊技機において、前記第１ピンの先端面は、前記第２ピンの第２係止爪を係止する爪係止部がその爪係止部の残部に対して前記第１ピンの後端面側へ後退する位置に配設されている。
【００１３】
請求項５記載の遊技機は、請求項１から４のいずれかに記載の遊技機において、第２ピンは、その第２ピンの外周面から径方向外方へ凸設される凸部を備えると共に、前記第１ピンは、前記第２ピンの凸部を受け入れるために前記挿入孔の内周面に凹設される凹部を備え、前記凹部は、前記第１ピンの外周面側に膨出して構成されると共に、軸方向視において前記第１係止爪と重なる位置に配設されている。
【００１４】
請求項６記載の遊技機は、請求項１から５のいずれかに記載の遊技機において、前記第１ピンは、その第１ピンの後端面から軸方向へ向けて延設されるスリットを備え、前記第２ピンは、その第２ピンの外周面から径方向外方へ凸設され前記第１ピンの挿入孔へ挿入された場合に前記スリットに嵌合する嵌合部を備える。
【００１５】
請求項７記載の遊技機は、請求項６記載の遊技機において、前記嵌合部は、軸方向視において前記第２係止爪と重なる位置に配設されている。
【００１６】
請求項８記載の遊技機は、請求項１から７のいずれかに記載の遊技機において、前記第１部材は、前記回路基板を収納する基板ケースとして構成され、前記第２部材は、前記基板ケースとしての第１部材と前記遊技機本体との間に介設されるベース部材として構成されている。
【発明の効果】
【００１７】
請求項１記載の遊技機によれば、第１部材に配設される第１封印部と、第２部材に配設される第２封印部とが封印ピンで連結されることで、第２部材に第１部材が封印される。即ち、封印ピンの第１ピンが、第１封印部に貫通した状態でその係合部を第２封印部に嵌め込み係合させることで、第１封印部と第２封印部との相対変位が第１ピンを介して規制され、その結果、第２部材に第１部材が封印される。
【００１８】
この場合、第１ピンの第１係止爪が第１封印部によって係止されると共に、その第１ピンの挿入孔に第２ピンが挿入されることで、第１ピンの第１係止爪の変位を第２ピンの変位規制部により規制することができるので、かかる変位規制部の変位規制によって、第１封印部による第１係止爪の係止が不正に解除されることを困難として、第１ピンが第１封印部から抜き取られることを抑制することができるという効果がある。その結果、第２部材に対する第１部材の封印を確実に行うことができる。
【００１９】
そして、本発明によれば、第１ピンの係合部によって第２ピンの第２係止爪が係止される構成であるので、かかる係止により、第２ピンが第１ピン（挿入孔）から抜き取られることを困難とすることができる。これにより、上述した第２ピンの変位規制部による第１係止爪の変位規制効果を確実に発揮させることができるので、第１ピンが第１封印部から不正に抜き取られることを困難とすることができるという効果がある。その結果、第２部材に対する第１部材の封印をより確実に行うことができるという効果がある。
【００２０】
更に、第２ピンの第２係止爪が係止される部位は第１ピンの係合部であり、第２部材の第２封印部に第１ピンの係合部が係合された状態では、かかる第２封印部により第２ピンの第２係止爪を外部から遮蔽することができるので、係合部による第２係止爪の係止が不正に解除されることを困難として、第２ピンが第１ピン（挿入孔）から抜き取られることを抑制することができるという効果がある。
【００２１】
その結果、上述した第２ピンの変位規制部による第１係止爪の変位規制効果を確実に発揮させることができるので、第１ピンが第１封印部から不正に抜き取られることを困難とすることができ、第２部材に対する第１部材の封印をより確実に行うことができるという効果がある。
【００２２】
一方、第１封印部が第１部材から切断された場合には、この第１封印部によって第１係止爪が係止された第１ピンを第１封印部と共に第１部材から分離されることで、第１ピンの係合部を第２封印部から取り外すことができる。これにより、第２封印部に遮蔽されていた第２ピンの第２係止爪を外部に露出させることができるので、第１ピンの係合部と第２ピンの第２係止爪との係止状態の解除を容易に行うことができるという効果がある。
【００２３】
その結果、第１ピンの挿入孔から第２ピンを容易に抜き取ることができると共に、これにより、第２ピンの変位規制部によって変位が規制されていた第１ピンの第１係止爪を変位可能な状態とすることができるので、かかる第１ピンの第１係止爪と第１封印部との係止状態を解除して、第１ピンを第１封印部から容易に抜き取ることができるという効果がある。
【００２４】
このように、本発明によれば、封印手段による封印がなされた場合には、封印ピン（第１ピン及び第２ピン）の抜き取りを困難として、第２部材に対する第１部材の封印を確実に行うことができる一方、第１封印部が切断された場合には、封印ピン（第１ピン及び第２ピン）の抜き取りを容易として、封印ピンを再利用する際の作業性の向上を図ることができる。
【００２５】
請求項２記載の遊技機によれば、請求項１記載の遊技機の奏する効果に加え、第１封印部及び第２封印部が光透過性材料から構成されるので、第１封印部及び第２封印部を介して、第１ピンの状態を視認することができるという効果がある。
【００２６】
更に、本発明によれば、第１ピンも光透過性材料から構成されるので、第１封印部及び第２封印部を介して、第１ピンの状態を視認することができるだけでなく、これら第１封印部及び第２封印部と第１ピンとを介して、第２ピンの状態を視認することもできるという効果がある。
【００２７】
これにより、封印手段を開封するための不正な操作等が第１ピン又は第２ピンに対して外部から施されていないかの確認を行う際には、かかる確認作業を第２部材に第１部材を封印した状態のままで行うことができるという効果がある。
【００２８】
ここで、本発明によれば、第１ピンが光透過性材料から構成されると共に、その第１ピンの光透過性が第１封印部及び第２封印部の光透過性よりも低い構成であるので、第２ピンの視認性を確保しつつ、第１ピン自体の視認性も確保することができるという効果がある。その結果、第１ピン及び第２ピンに対する外部からの不正な操作等の実施有無をより確実に判別することができるという効果がある。
【００２９】
なお、第２ピンについては、その光透過性が第１ピンよりも低い光透過性材料か、或いは、光非透過性の材料から構成されることが好ましい。これにより、第１封印部及び第２封印部と第１ピンとを介しての第２ピンの視認性を確保することができるからである。
【００３０】
請求項３記載の遊技機によれば、請求項１又は２に記載の遊技機の奏する効果に加え、第１ピンの挿入孔は、第１ピンの後端面から先端面にかけて貫通形成され、前記第２ピンは、挿入孔へ第１ピンの後端面側から挿入されると共に挿入孔へ挿入された場合に第１ピンの先端面に第２係止爪が係止され、第１ピンは、その第１ピンの先端面から軸方向へ向けて延設されるスリットを備えているので、第１ピンを第２ピンから抜き取る作業を容易に行うことができるという効果がある。
【００３１】
即ち、第１ピンから第２ピンを抜き取るためには、第１ピンの先端面に係止された第２ピンの第２係止爪を解除すると共に、かかる第２係止爪を第１ピンの挿入孔の中へ押し入れる必要があるところ、上述の通り、第１ピンにはその先端面からスリットが延設されているので、かかるスリットの効果によって、第１ピンの先端面側を拡径させることができる。これにより、第２係止爪を第１ピンの挿入孔の中へ押し入れる際の作業性の向上を図り、第２ピンの抜き取り作業を容易に行うことができる。
【００３２】
請求項４記載の遊技機によれば、請求項３記載の遊技機の奏する効果に加え、第１ピンの先端面は、第２ピンの第２係止爪を係止する爪係止部がその爪係止部の残部に対して第１ピンの後端面側へ後退する位置に配設されているので、爪係止部とその残部との間に段差を設けることができ、かかる段差部によって、爪係止部に係止された第２係止爪を挟み込み外部から遮蔽することができるという効果がある。これにより、第２係止爪を外部から操作することが困難となり、第２ピンが第１ピンから不正に抜き取られることを抑制することができるので、その分、第２部材に対する第１部材の封印を確実に行うことができる。
【００３３】
請求項５記載の遊技機によれば、請求項１から４のいずれかに記載の遊技機の奏する効果に加え、第２ピンは、外周面から径方向外方へ凸設される凸部を備えると共に、第１ピンは、第２ピンの凸部を受け入れるために挿入孔の内周面に凹設される凹部を備えるので、第２ピンを第１ピンの挿入孔に挿入する際には、第２ピンの凸部を第１ピンの凹部へ嵌め込むことで、第１ピンに対する第２ピンの位置決めを行うことができるという効果がある。
【００３４】
これにより、第１ピンに対する第２ピンの相対位置を適正とすることができるので、作業者による誤操作を回避して、第２ピンの機能（即ち、変位規制部による第１係止爪の変位規制効果および第２係止爪の係止による抜き取り抑制効果）を確実に発揮させることができ、その結果、第２部材に対する第１部材の封印を確実に行うことができる。
【００３５】
また、第１ピンの凹部は、その第１ピンの外周面側に膨出して構成されると共に、軸方向視において第１係止爪と重なる位置に配設されている。よって、例えば、ケース側封印部と第１ピンとの間の隙間からピアノ線等を軸方向へ挿入して、第１係止爪の係止を解除するといった不正な操作に対しては、径方向外方へ膨出する凹部が第１係止爪に対応する位置に存在することで、ピアノ線等が第１係止爪に到達することを困難として、不正な操作を抑制することができるという効果がある。これにより、第２部材に対する第１部材の封印を確実に行うことができる。
請求項６記載の遊技機によれば、請求項１から５のいずれかに記載の遊技機の奏する効果に加え、第１ピンは、その第１ピンの後端面から軸方向へ向けて延設されるスリットを備え、第２ピンは、外周面から径方向外方へ凸設され第１ピンの挿入孔へ挿入された場合にスリットに嵌合する嵌合部を備えるので、前記第２ピンを第１ピンの挿入孔に挿入する際には、第２ピンの嵌合部を第１ピンのスリットへ嵌め込むことで、第１ピンに対する第２ピンの位置決めを行うことができるという効果がある。
【００３６】
これにより、第１ピンに対する第２ピンの相対位置を適正とすることができるので、作業者による誤操作を回避して、第２ピンの機能（即ち、変位規制部による第１係止爪の変位規制効果および第２係止爪の係止による抜き取り抑制効果）を確実に発揮させることができ、その結果、第２部材に対する第１部材の封印を確実に行うことができる。
【００３７】
また、第１ピンの後端面からスリットを延設することで、かかるスリットの効果によって、第１ピンの後端面側を拡径させることができる。これにより、第１ピンの挿入孔へ第２ピンを挿入する場合には、挿入孔の内径を第２ピンの外径よりも若干小径に構成しても、第１ピンの後端面側を拡径させつつ第２ピンを挿入孔へ挿入することができるので、挿入孔と第２ピンとの間に隙間が生じることを抑制して強固に密着させることができるという効果がある。
【００３８】
その結果、例えば、ピアノ線等を第１ピンの後端面側から軸方向へ挿入して、第１係止爪の係止を解除するといった不正な操作に対しては、挿入孔と第２ピンとの間が強固に密着されることで、ピアノ線等が挿入されることを困難として、不正な操作を抑制することができるという効果がある。これにより、第２部材に対する第１部材の封印を確実に行うことができる。
【００３９】
請求項７記載の遊技機によれば、請求項６記載の遊技機の奏する効果に加え、第２ピンの嵌合部は、軸方向視において第２係止爪と重なる位置に配設されているので、例えば、第１ピンの挿入孔と第２ピンとの間の隙間からピアノ線等を軸方向へ挿入して、第２係止爪の係止を解除するといった不正な操作に対しては、径方向外方へ凸設されると共にスリットに嵌合される嵌合部が第２係止爪に対応する位置に存在することで、ピアノ線等が第２係止爪に到達することを困難として、不正な操作を抑制することができるという効果がある。これにより、第２部材に対する第１部材の封印を確実に行うことができる。
【００４０】
請求項８記載の遊技機によれば、請求項１から７のいずれかに記載の遊技機の奏する効果に加え、第１部材が回路基板を収納する基板ケースとして構成されると共に、第２部材が基板ケース（第１部材）と遊技機本体との間に介設されるベース部材として構成されているので、本発明における封印手段の効果を有効に発揮させることができるという効果がある。
【００４１】
即ち、例えば、第１部材が、回路基板を収納するために１面が開放されたボックスベースとして構成されると共に、第２部材が、ボックスベースの開放部分に覆設されボックスベースとともに回路基板を収納するボックスカバーとして構成される（即ち、第１部材と第２部材とにより基板ケースが構成される）場合には、かかる基板ケース自体が開封される頻度が少ないため、本発明における封印手段の効果が有効に発揮されない。
これに対し、上述したように、第１部材及び第２部材を基板ケース及びベース部材として構成する場合には、基板ケースをベース部材から取り外す頻度が高いため、次の効果、即ち、封印ピンの抜き取りを困難として、基板ケースに対するベース部材の封印を確実としつつ、第１封印部が切断された場合には、封印ピン（第１ピン及び第２ピン）の抜き取りを容易として、封印ピンを再利用する際の作業性の向上を図るという効果を、有効に発揮させることができる。
【図面の簡単な説明】
【００４２】
【図１】本発明の一実施の形態における遊技機の全体を示す斜視図である。
【図２】遊技機の正面図である。
【図３】面替えブロックを斜め前方より見た斜視図である。
【図４】遊技機の内部開放状態を示した斜視図である。
【図５】遊技機の内部開放状態を示した斜視図である。
【図６】遊技機の背面図である。
【図７】主制御基板ケース及びベース部材の斜視図である。
【図８】（ａ）は、主制御基板ケースの正面図であり、（ｂ）は、主制御基板ケースの背面図である。
【図９】主制御基板ケースの部分拡大正面図である。
【図１０】主制御基板ケースの部分拡大背面図である。
【図１１】主制御基板ケースの側面図である。
【図１２】図８（ａ）のＳ２−Ｓ２線における主制御基板ケースの断面図である。
【図１３】（ａ）は、ベース部材の正面図であり、（ｂ）は、ベース部材の背面図である。
【図１４】ベース部材の部分拡大正面図である。
【図１５】（ａ）はベース部材の部分拡大正面図であり、（ｂ）は図１５（ａ）のＪ１−Ｊ１線における治具部の断面図であり、（ｃ）は図１５（ｂ）のＪ２−Ｊ２線における治具部の断面図である。
【図１６】図１３（ａ）のＳ３−Ｓ３線におけるベース部材の断面図である。
【図１７】図１３（ａ）のＳ４−Ｓ４線におけるベース部材の断面図である。
【図１８】（ａ）及び（ｂ）は、封印ピンの斜視図である。
【図１９】（ａ）は、後端面視における第１ピンの正面図であり、（ｂ）は、第１ピンの側面図である。
【図２０】（ａ）は、第１ピンの側面図であり、（ｂ）は、先端面視における第１ピンの背面図である。
【図２１】（ａ）は、後端面視における第２ピンの正面図であり、（ｂ）は、第２ピンの側面図である。
【図２２】（ａ）は、第２ピンの側面図であり、（ｂ）は、先端面視における第２ピンの背面図である。
【図２３】主制御基板ケース及びベース部材の断面図である。
【図２４】主制御基板ケース及びベース部材の断面図である。
【図２５】主制御基板ケース及びベース部材の断面図である。
【図２６】主制御基板ケース及びベース部材の断面図である。
【図２７】主制御基板ケース及びベース部材の断面図である。
【図２８】治具部の使用方法を説明する部分断面模式図である。
【図２９】治具部の使用方法を説明する部分断面模式図である。
【図３０】治具部の使用方法を説明する部分断面模式図である。
【図３１】主制御基板ケースから分離された基板側封印部の断面図である。
【発明を実施するための形態】
【００４３】
以下、本発明の好ましい実施の形態について、添付図面を参照して説明する。本実施の形態における遊技機は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている。本遊技機には、遊技ホール等においてパチンコ機と共通の遊技球供給システムから遊技球の供給がなされるようになっており、パチンコ機が設置される既存の島設備（パチンコ島）に本遊技機を設置することが可能となっている。
【００４４】
まず、遊技機１の外観構成の概略を図１、図２を参照して説明する。図１は、本発明の一実施の形態における遊技機１の全体を示す斜視図であり、図２は遊技機１の正面図、である。なお以下の説明においては、特に注記しない限りは、遊技機１の正面から見た状態を基準として左右上下などの方向を記載することとする。
【００４５】
遊技機１は、本体枠としての外枠２と、この外枠２に対して前方に回動可能に取り付けられた遊技機主部３（図４参照）とを有する。外枠２は木製の板材を四辺に連結し構成されるものであって、全体として矩形状をなしている。本遊技機１を遊技ホールに設置する際には、外枠２が島設備に取り付け固定される。外枠２を合成樹脂やアルミニウム等の金属によって構成することも可能である。外枠２を構成する四辺の板材のうち右辺の板材には、その内側上下２カ所に、後述するドアブロック４に設けた施錠部材（詳しくは鉤金具１２５，１２６、図４参照）を係止するための鉤受け部が設けられている。
【００４６】
遊技機主部３は、扉体ユニットであるドアブロック４と、絵柄表示ユニットである面替えブロック５と、遊技球の払出ユニットである払出ブロック６とから構成されている（図４参照）。このドアブロック４には上下２カ所にヒンジ金具８（図４参照）が設けられており、このヒンジ金具８と外枠２側の上下２カ所の支持金具９とにより、ドアブロック４（遊技機主部３）が外枠２に対して回動可能に支持されている。この場合、遊技機１を正面から見て左側に回動軸線が設けられる構成となっており、遊技機主部３は正面から見て右側を回動先端部として開放される。外枠２に対して遊技機主部３が閉じた状態では、ドアブロック４の外周縁部の背面が外枠２の前面に当接するようになっている。
【００４７】
ドアブロック４は、前扉体１１と内枠１２（図４参照）とを備えている。ドアブロック４において、前扉体１１は、前記外枠２とほぼ同等の大きさ（縦寸法及び横寸法）を有し、その背面側に重なるようにして内枠１２が取り付けられている。前扉体１１と内枠１２とは、いずれも合成樹脂材料により成形されており、背後より複数箇所でネジ締めすることにより結合されている。但し、ドアブロック４の剛性を高めるべく、内枠１２を金属材料（例えばアルミダイキャスト）にて成形することも可能である。内枠１２は、前扉体１１を補強する役目を有する他、後に詳述する面替えブロック５や払出ブロック６支持する役目を有するものである。
【００４８】
前扉体１１は、後述するリール図柄や液晶図柄等を視認可能とする図柄視認部、遊技に際し遊技者により手動操作される操作部、上皿部で余剰となった遊技球などを貯留するための下皿部を備える。
【００４９】
すなわち、前扉体１１の上半部には、図柄視認部として略台形状をなす視認窓２１が形成されている。この視認窓２１には、平坦な透明板よりなる透明パネル１３がはめ込まれており、この透明パネル１３を介してその内方が視認可能となっている。故に、この視認窓２１の奥方に配設された面替えブロック５の液晶表示装置５０４やリール装置５０３を、透明パネル１３を通して視認することができる。
【００５０】
視認窓２１は、前扉体１１においてその前面部のほぼ上半分の領域で設けられており、こうした比較的大型に構成される視認窓２１によれば、大型の液晶表示装置を用いた画像の演出表示によって遊技者に多大なインパクトを与えることが可能になることに加え、本遊技機１の主表示装置たるリール装置５０３の図柄の視認性が良好なものとなっている。
【００５１】
ここで、透明パネル１３は、前扉体１１に対して、背面側から取り付けられ、パネル支持部材により固定されるようになっている。このパネル支持部材は、視認窓２１や透明パネル１３と同形状の開口部を有する枠体として構成されており、その左右上下の各枠部分には、それぞれネジ孔等が形成されている。前扉体１１に対して内枠１２を組み付けた状態で、その背面側から透明パネル１３とパネル支持部材とを装着し、形成されたネジ孔にてネジ締め等を行うことによりパネル支持部材を固定する。これにより、前扉体１１の視認窓２１を囲む周囲部分とパネル支持部材とにより透明パネル１３の周縁部が挟持され、前扉体１１に対する透明パネル１３の装着が完了する。
【００５２】
前扉体１１の前面側において、視認窓２１の左右側方部及び上方部には囲い部２３が設けられている。この囲い部２３には、中央ランプ部２４と左右一対の側方ランプ部２５とが設けられるとともに、前扉体１１の右上隅部及び左上隅部にスピーカ部２６が設けられている。遊技に際しては、これらランプ部２４，２５やスピーカ部２６により、その都度の遊技状況に応じたランプ演出や音声演出等が行われる。すなわち、ランプ部２４，２５による発光色や発光パターンを適宜変更したり、スピーカ部２６による音声パターンを適宜変更したりすることで、役の成立等が遊技者に告知される。また、このランプ部２４，２５やスピーカ部２６を用いて、エラー告知等を行うことも可能である。
【００５３】
ちなみに、視認窓２１は、前扉体１１の左右幅に対して囲い部２３（左右の側方ランプ部２５）を除く範囲で設けられており、故に視認窓２１は左右に幅広いものとなっている。また言い加えると、視認窓２１は、後述するリール装置５０３や液晶表示装置５０４の横幅よりも幅広となっている。
【００５４】
また、前扉体１１の前面部は、中央ランプ部２４とスピーカ部２６を含む範囲で分割されて構成されており、前扉体１１（ドアブロック４）に対して分離可能な部位が上部カバー体９４となっている。この上部カバー体９４を固定する固定手段としては、前扉体１１と前面枠１１とに複数のネジ付け部１０９が設けられており、内枠１２の後方よりネジ締結が行われるようになっている。
【００５５】
上部カバー体９４において、中央ランプ部２４には有色の透明又は半透明のパネルが組み込まれており、当該パネルを通じてランプの発光が遊技機前方にて確認できるようになっている。
【００５６】
前扉体１１をかかる構成とすることにより、上部カバー体９４を取り外すことで、前扉体１１の背面に設けられたランプ基板や、各種装置（例えばスピーカなど）を露出させることができる。このため、ドアブロック４を開放状態としなくとも、前扉体１１の後方に隠れているこれら基板や装置のメンテナンスを容易としている。
【００５７】
視認窓２１の下方には、遊技者により操作される各種操作部材等を配備した操作部３０が設けられている。この操作部３０は、全体として横長状をなしかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部において、向かって左寄りの位置（概ねスタートレバー３３と左側のストップスイッチ３５との間）には、前面板部３１から後方に出っ張るようにしてベットスイッチ取付板部３２が形成されており、その取付板部３２にボタン状のベットスイッチ３８が取り付けられている。
【００５８】
ベットスイッチ３８は、遊技者によるベット（賭数）の設定を行わせるものであり、その押し操作により上皿１５１に貯留された遊技球が所定個数分取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、１ベットスイッチや２ベットスイッチを設ける構成であっても良い。ちなみに、１ベットスイッチは、１回の押し操作により１ベット相当（５個分）の遊技球を取り込ませるためのベットスイッチであり、２ベットスイッチは、１回の押し操作により２ベット相当（１０個分）の遊技球を取り込ませるためのベットスイッチである。
【００５９】
スタートレバー３３は、後述するリール装置５０３（図３参照）の各リール（回転体）５４１〜５４３を回転開始させるための操作部材であり、各リール５４１〜５４３を回転開始、すなわち図柄の可変表示を開始させるべく操作される始動操作手段を構成する。
【００６０】
ストップスイッチ３５〜３７は、停止対象となるリール（左、中、右の三列のリール５４１〜５４３のいずれか）に対応するよう設けられており、回転中の各リール５４１〜５４３を個別に停止させるために操作される停止操作手段を構成する。各ストップスイッチ３５〜３７は、各リール５４１〜５４３が定速回転となると停止させることが可能な状態となり、その状態で押下操作される。また、停止操作可能な状態には、図示しないランプが点灯表示されることによって停止操作が可能であることが報知され、各リール５４１〜５４３の回転が停止すると消灯されるようになっている。
【００６１】
操作部３０の後方には、前記前面板部３１とほぼ同じ長さを有し上方に開口した横長状の開口部４１が形成されている。この開口部４１は、前扉体１１に上皿１５１を配するための開口領域であり、開口部４１の左右方向の幅寸法は上皿１５１の左右方向の幅寸法に概ね合致し、同開口部４１の前後方向の幅寸法は上皿１５１の前後方向の幅寸法よりも若干短いものとなっている。
【００６２】
上皿１５１は、島設備の球貸し装置から貸し出された遊技球や、払出装置より払い出された遊技球を一旦貯留するための皿部材を構成するものである。この上皿１５１は横長の樋状に成形されており、底板部とその周縁部を囲む周壁部とよりなる。これら底板部と周壁部とにより囲まれて遊技球貯留領域が形成されている。
【００６３】
この上皿１５１の底板部には、開口部が設けられており、周壁部のうち奥側の壁部には、排出口が設けられている。底板部は、概して排出口から開口部に向けて低くなる構成となっている。したがって、排出口から排出された遊技球は下流側に流れる。また、周壁部のうち手前側の壁部には凹部が形成されており、その凹部により、上皿１５１をドアブロック４に組み付けた際におけるベットスイッチ取付板部３２と上皿１５１との干渉が回避されるようになっている。
【００６４】
更に、上皿１５１の上面側には、球出口部付近を覆うカバー部材１５２が取り付けられている。カバー部材１５２は、上皿１５１から下流側への遊技球の流出通路である案内通路の一部を覆うように配設されており、各案内通路の高さ方向の寸法を概ね遊技球１個分に規制する通路高さ規制部材としても機能する。即ち、このカバー部材１５２を上皿１５１の上面に取り付けることにより、各案内通路において遊技球が１個ずつ取り込まれるようになる。このカバー部材１５２は、透明体にて構成されており、その下方の遊技球が視認可能となっている。また、上皿１５１の底部には、取込ユニットの排出ゲート部材を操作して上皿１５１内の貯留球を下皿７１に排出するための排出操作伝達装置が取り付けられている。
【００６５】
操作部３０の前面板部３１には、正面から見て右下部に切欠部４２が形成されている。この切欠部４２は、排出操作伝達装置の操作レバー１９８を設置するための設置スペースとなっている。
【００６６】
前記視認窓２１（透明パネル１３）と操作部３０との間には、左右方向に延びる長板状の横長窓部５０が設けられている。横長窓部５０は、視認窓２１（透明パネル１３）よりも奥側に位置し、その左右方向の長さは視認窓２１の左右方向の長さとほぼ同じ長さとなっている。横長窓部５０の右方には、操作スイッチ５１８，５１９を露出させて押下操作可能とするための上下２つの小穴５１，５２が設けられている。
【００６７】
操作スイッチ５１８，５１９は、例えば情報メニューの操作に用いられる押しボタン式のスイッチ部材であり、当該操作スイッチ５１８，５１９の押下操作によって大当たり回数、総ゲーム数、大当たり発生確率、出球数などの各種情報が液晶表示装置５０４等に適宜表示される。
【００６８】
前扉体１１において、横長窓部５０の左右の側方部には、その上方の囲い部２３に比して奥側に後退するようにして弧状の凹み部６１が設けられており、その凹み部６１には、外枠２に対する遊技機主部３（ドアブロック４）の施錠及び解錠を行うための施錠部材（詳細には、内枠１２に設けたキーシリンダ１３７）を露出させるためのキーシリンダ設置穴６２が形成されている。
【００６９】
図１等で確認できるとおり左右の凹み部６１は上皿１５１の直ぐ上方に位置する。そのため、仮に遊技ホールにおいて球貸しユニットから延びる球貸しノズル（いわゆる象の鼻）を介して上皿１５１に遊技球が貸し出されるような場合にも、その球貸しノズルと前扉体１１との干渉を回避することができる。故に、遊技ホールでの設置状況を考えても有益な構成となっている。
【００７０】
更に、前扉体１１において、操作部３０の下方には、前記囲い部２３及び凹み部６１に連続するようにして膨出部７０が形成されており、その膨出部７０に囲まれるようにして下皿７１と灰皿７２とが形成されている。膨出部７０に囲まれた奥壁部７３には下皿排出口７４とスピーカ穴７５とが形成されている。上皿１５１やその上流通路に遊技球が満タンに貯留されている状態であって更に払出装置から遊技球が払い出される場合、或いは、上皿１５１内に貯留されている遊技球に対して球抜き操作が行われる場合には、下皿排出口７４を介して下皿７１に遊技球が排出される。
【００７１】
下皿７１の底部には開口が形成されており、その開口には開閉板７６が設けられている。また、膨出部７０の略中央部には下皿用の球抜き操作片７７が設けられている。球抜き操作片７７は、下皿７１に貯留している遊技球を下皿７１の下方に置かれた球収容箱（いわゆるドル箱）に排出するための操作片であり、図示する通常位置から左方に操作されることで前記開閉板７６が開位置にスライド移動し、下皿７１内の遊技球の排出が行われる。その他、膨出部７０において下皿７１の左右両側方には下皿ランプ部７８が設けられている。
【００７２】
更に、このドアブロック４の背面側には、面替えブロック５が取り付けられ、更に面替えブロック５を背面側から覆うように払出ブロック６が取り付けられている。これら面替えブロック５と払出ブロック６はドアブロック４の一部にそれぞれ回動可能に支持されており、これら各ブロック５，６は、外枠２に対してドアブロック４と一体で回動可能となるとともに、ドアブロック４に対して各々個別に回動可能となる構造を有する。
【００７３】
図３は、面替えブロック５を斜め前方より見た斜視図である。面替えブロック５は主要な構成として、合成樹脂製の前面枠５０１と、図柄表示装置（主表示装置）としてのリール装置５０３と、補助演出装置としての液晶表示装置５０４と、遊技に関わる主たる各種制御を実施する主制御装置５０５と、主制御装置５０５からの指令に基づく従たる表示制御等を実施する表示制御装置５０６（図５参照）とを備えている。尚、主制御装置５０５は、主制御装置ボックス５００と主制御装置ボックス５００に内包される主制御基板とを主に備えている。
【００７４】
本遊技機１では、面替えブロック５は、本遊技機１の遊技内容を決定する主要部品を全て備える構成となっており、仮に遊技ホール等において機種入替を行う場合には、この面替えブロック５を現機種のものから新たな機種のものに入れ替えることで機種入替を行うことができるようになっている。すなわち、面替えブロック５は機種入替時などにおける交換ユニットとなっている。
【００７５】
前面枠５０１は、正面から見てほぼ正方形状をなしており、その前面部において略台形上に縁取られた部位が、前扉体１１の視認窓２１にほぼ一致する形状及び大きさになっている。この場合、面替えブロック５をドアブロック４に取り付けた状態では、前面枠５０１のほぼ全面が前扉体１１の視認窓２１から視認可能となっている。
【００７６】
また、前面枠５０１の前面部には、横長の矩形状をなす表示窓５１１が設けられると共に、その表示窓５１１の上方に同じく横長の矩形状をなす表示窓５１２が設けられている。なお、以下の記載では、下側の表示窓５１１を「下側表示窓５１１」、上側表示窓５１２を「上側表示窓５１２」と表記する。下側表示窓５１１は、リール装置５０３の外周に付されたリール図柄を表示するためのリール図柄表示部に相当し、上側表示窓５１２は、液晶表示装置５０４による表示画像を表示するための液晶画像表示部に相当する。
【００７７】
各表示窓５１１，５１２は、前面枠５０１の前面部において左右方向のほぼ中央部にそれぞれ設けられており、ほぼ同じ横寸法を有する（高さ寸法は上側表示窓５１２の方が若干大きい）。ただし、各表示窓５１１，５１２の大きさ（絶対的な大きさ）や各表示窓５１１，５１２を比較した時の相対的な大きさ、各表示窓５１１，５１２の形状は任意に変更可能であり、例えば、上側表示窓５１２をより横長状としたり、上側表示窓５１２を下側表示窓よりも小さくしたりしても良い。前面枠５０１の前面部において、各表示窓５１１，５１２の周囲部分は概ね平坦面にて構成されている。そして、下側表示窓５１１の奥方には、リール装置５０３が装着されており、また、上側表示窓５１２の奥方には、液晶表示装置５０４が装着されている。
【００７８】
リール装置５０３は、金属製のケース部材に収容される左・中・右の３つのリール５４１，５４２，５４３とを具備している。リール５４１〜５４３はケース部材５４０に回転可能に収容されており、かつ該リール５４１〜５４３の一部は、前面側において現出されている。
【００７９】
本遊技機１では、ドアブロック４の視認窓２１（透明パネル１３）を通じて前面枠５０１を見た場合、各表示窓５１１，５１２を含む広範囲領域が視認可能となる。故に、前面枠５０１の前面領域に本遊技機１に関わる各種情報（機種情報や配当表など）や装飾等を付与すれば、その各種情報や装飾等を視認窓２１（透明パネル１３）を通じて遊技機前方から視認することができる。この場合、前述のとおり前面枠５０１の前面部において各表示窓５１１，５１２以外の部分は概ね平坦であるため、この前面領域に各種情報などを付与してシール等を貼付することも可能である。
【００８０】
また、当該面替えブロック５の背面側においては、リール装置５０３の上方に表示制御装置５０６（図５参照）が取り付けられていると共に、リール装置５０３側方には、ベース部材６００が取着されており、そのベース部材６００上には、主制御装置５０５が装着されている。
【００８１】
ベース部材６００は、主制御装置５０５を一方向にスライド可能に装着する台座部材であり、その前面枠５０１側の下方を軸として、後方に回動可能となっている。主制御装置５０５は、ベース部材６００に対してスライド可能に装着されており、かかるスライド動作によってベース部材６００から着脱することができるように構成されている。
【００８２】
ここで、このスライドはベース部材６００を後方に回動させた場合にのみ実行できるように規制されている。つまり、主制御装置５０５を脱着する場合は、主制御装置５０５を取り外し方向（上方向）へスライドする必要があるが、ベース部材６００が非回動状態（初期位置）にあると、主制御装置５０５の取り外し方向側の端部が前面枠５０１を構成する部材（係合フック部材５３３）に当接してしまい、スライドが規制されてしまう。一方で、ベース部材６００が後方へ回動された場合、前面枠５０１の係合フック部材５３３によって主制御装置５０５のスライドは制限されないので、主制御装置５０５をベース部材６００から脱着することができる。
【００８３】
上記のように構成された面替えブロック５をドアブロック４に装着した状態では、前面枠５０１の周縁部分がドアブロック４の内側面に当接する。かかる装着状態において、前面枠５０１の中央部分と前扉体１１の透明パネル１３との間には間隙が生じるようになっている。
【００８４】
また、面替えブロック５の前面枠５０１の背面側において、左上隅部と左下隅部とには、面替えブロック５の背面側に取り付けられる払出ブロック６との結合を行うための係合フック部材５３３，５３４（図５参照）が設けられている。この係合フック部材５３３，５３４によって、面替えブロック５は払出ブロック６と係合され、一体で回動可能となる。
【００８５】
図４及び図５は、遊技機１の内部開放状態を示した斜視図であり、図６は、遊技機１の背面図である。図４には、面替えブロック５と払出ブロック６とが外枠２に対してドアブロック４と一体で回動された状態が示されており、払出ブロック６が露出している。また、図５には、ドアブロック４に対して面替えブロック５と払出ブロック６とを各々個別に回動して遊技機１の内部を開放した状態が示されている。
【００８６】
内枠１２は、前扉体１１と相似形をなす矩形状をなしており、内枠１２の正面視右側には、ドアブロック４を開放不能な施錠状態で保持するための施錠装置１２０が設けられている。すなわち、施錠装置１２０は、金属板を折り曲げて成形された長尺状の基枠１２１を有しており、この基枠１２１を内枠１２の背面側に固定することで施錠装置１２０が内枠１２に固定されるようになっている。基枠１２１の一面側（内枠１２の外方となる側）には、第一連動杆１２２が重ねるように設けられるとともに、他面側（内枠１２の内方となる側）には第２連動杆が同じく重ねるように設けられている。
【００８７】
第一連動杆１２２には、上下２カ所にスリット部が設けられており、このスリット部の長さ分だけ上下方向に移動可能となっている。第二連動杆には、上下３カ所にスリット部が設けられており、このスリット部の長さ分だけ上下方向に移動可能となっている。また、非図示のコイルバネの付勢力によって初期状態において上方に引き上げられて保持されている。
【００８８】
基枠１２１において第一連動杆１２２側には、鉤形状をなす上下一対の鉤金具１２５，１２６が設けられている。鉤金具１２５，１２６は、その中間部分が基枠１２１に軸支されており、第一連動杆１２２が上方に移動することでその先端鉤部が下方に移動する構成となっている。鉤金具１２５，１２６の基端部（先端鉤部と反対側の部位）には、一端が基枠１２１に結合されたコイルバネ１２７，１２８が取り付けられており、コイルバネ１２７，１２８の付勢力にて、鉤金具１２５，１２６の基端部が下方に引き下げられると共にそれと同時に第一連動杆１２２が下方に引き下げられ、初期状態で保持されるようになっている。
【００８９】
基枠１２１には、解錠操作部たるキーシリンダ１３７が設けられている。このキーシリンダ１３７は前後方向に延びる向きで設けられており、前扉体１１に内枠１２を組み付けた際にはシリンダ前面（キー挿入孔の設置側）が前扉体１１に設けたキーシリンダ設置穴６２から露出することとなる。なお、キーシリンダ１２５として、不正解錠防止機能の高いオムロック（登録商標）を用いる構成としても良い。
【００９０】
キーシリンダ１３７に操作キー（図示を省略）を差し込んだ状態で、当該操作キーを時計回り方向に回動操作すると、コイルバネ１２７，１２８の付勢力に抗して連動杆１２２が上方に移動する。これにより、第一連動杆１２２の鉤金具１２５，１２６の先端鉤部が下方に移動し、外枠２に対してドアブロック４が閉じている場合に、鉤金具１２５，１２６と外枠２側の鉤受け部との係止状態（すなわち施錠状態）が解除される。そして、外枠２に対してドアブロック４が開放可能となる。その後、操作キーの回動操作を解除すると、コイルバネ１２７，１２８の付勢力により第一連動杆１２２や鉤金具１２５，１２６が初期状態に復帰する。
【００９１】
また、キーシリンダ１３７に操作キーを差し込んだ状態で、当該操作キーを反時計回り方向に回動操作すると、第一連動杆１２２、第２連動杆や、鉤金具１２５，１２６等が下方に移動する。かかる場合、本遊技機１では、ドアブロック４に対して払出ブロック６が閉じている状態で、第２連動杆に設けられた鉤金具と払出ブロック６との係合状態が解除され、ドアブロック４に対して払出ブロック６が開放可能となる。その後、操作キーの回動操作を解除すると、非図示のコイルバネの付勢力により第二連動杆が初期状態に復帰する。
【００９２】
但し、本遊技機１では、かかる払出ブロック６の解除操作は外枠２に対してドアブロック４が閉じた状態では行うことはできないように、施錠装置１２０は構成されている。
【００９３】
払出ブロック６は、合成樹脂材料にて一体成形された裏カバー部材６０１と、遊技球を払い出すための払出機構６０２と、払出制御装置６０３と、外部電源から生成した電源電圧を各種制御装置やアクチュエータ類などに供給する電源装置６０４とを有しており、これらを一体化することにより形成されている。
【００９４】
裏カバー部材６０１は、略平坦状のベース部に、略直方体形状をなす保護カバー部６１２が後方（遊技機１の後方）に突出して形成されている。保護カバー部６１２は左右及び上下の各面と背面とが閉鎖された形状をなし、面替えブロック５のリール装置５０３を収容するのに十分な大きさを有する。主制御装置５０５は、保護カバー部６１２の内面とリール装置５０３との間に位置しているので、払出ブロック６を面替えブロック５に対して閉じた（結合した）場合において、保護カバー部材６１２内の閉塞された空間に内包される。
【００９５】
払出ブロック６が面替えブロック５に結合された状態では、主制御装置５０５と保護カバー部材６１２の背面部との間の距離が狭くなっており、その範囲内ではベース部材６００を殆ど回動させることができない。払出ブロック６に対して面替えブロック５が結合されていることにより、保護カバー部６１２の開口部分が面替えブロック５の前面枠５０１により覆われている。なお、ベース部と保護カバー部６１２とは、一体で形成されても良く、各々別体で成形されたネジ等により一体化されるものであっても良い。
【００９６】
上記したように、面替えブロックに設けられた係合フック部材５３３，５３４によって面替えブロック５と払出ブロック６とが係合されていると、両者は一体で回動し、また、係合フック部材５３３，５３４による係合がなされていない状態では、両者は個別に回動可能となる。また、係合フック部材５３３，５３４の係合解除のための操作部位は、払出ブロック６によっては被覆されないが、払出ブロック６をドアブロック４に結合した状態では、ドアブロック４に覆われてしまい外部に露出しない。
【００９７】
このため、払出ブロック６をドアブロック４に結合した状態では、面替えブロック５と払出ブロック６との係合は解除不能となっており、ドアブロック４に対して面替えブロック５及び払出ブロック６を後方に回動させた場合にのみ、係合フック部材５３３，５３４の係合を解除することができ、払出ブロック６から分離するように面替えブロック５が回動可能となる。
【００９８】
ここで、ドアブロック４に対して面替えブロック５や払出ブロック６を開放動作させるための軸線は遊技機１の正面視左側に設けられている。この軸線は、面替えブロック５を支持するための軸線と払出ブロック６を支持するための軸線とを兼ねるものとなっている。つまり、面替えブロック５用の支持手段は同軸で上下一対に設けられている。また、払出ブロック６用の支持手段は、面替えブロック５用の支持手段を挟むようにしてやはり同軸で上下一対に設けられている。言い換えれば、払出ブロック６（裏カバー部材６０１）には、背面側から見て右端部に上下一対の支軸が設けられており、この支軸によって、払出ブロック６は、ドアブロック４に対し回動可能に支持されている。このように、払出ブロック６を、ドアブロック４（前扉体１１）及び面替えブロック５に対して後方に回動可能とする支軸を、背面側から見て右端部に設けられていることにより、払出ブロック６の回動基端は、ドアブロック４の回動基端の位置と同じ側となっている。
【００９９】
本遊技機１においては、主制御装置５０５をリール装置５０３と保護カバーとの間であって、回動先端側に配設しているので、面替えブロック５と払出ブロック６との連結体を、ドアブロック４に対して開放した後、係合フック部材５３３，５３４の係合解除操作を行って更に面替えブロック５を払出ブロック６に対して開放すると、主制御装置５０５が露出する。
【０１００】
払出機構６０２は、保護カバー部６１２を迂回するようにして裏カバー部材６０１のベース部に取り付けられている。すなわち、払出機構６０２として、裏カバー部材６０１の最上部には上方に開口したタンク６１５が設けられており、タンク６１５には遊技ホールの島設備から供給される遊技球が逐次補給される。タンク６１５の下方には、例えば横方向２列（２条）の球通路を有し下流側に向けて緩やかに傾斜するタンクレール６１６が連結され、タンクレール６１６の下流側には上下方向に延びるケースレール６１７が連結されている。
【０１０１】
ケースレール６１７の最下流部には、遊技球の払出しを行うための払出装置６１８が設けられている。払出装置６１８は、払出制御装置６０３からの制御信号によって、払出モータが駆動されると共に、該払出モータの駆動によって払出ゲート部材が作動され、必要個数の遊技球の払出を適宜行うものである。払出装置６１８は、遊技時の入賞等により払い出される遊技機払出機能の他に、メンテナンス時などにおいてケースレール６１７等に滞留している遊技球を外部に排出するための遊技球排出機能を有している。遊技球排出時には、内部のレバーが払出実行位置から排出実行位置へと切り換えられると共に払出モータが駆動され遊技球の外部排出が実行される。
【０１０２】
また、保護カバー部６１２には、遮蔽カバー６７５，６７６が設けられている。遮蔽カバーは、非図示の係止片（第２連動杆の鉤部材が係止する裏カバー部材６０１に設けられた係止片）を囲むように設けられており、前方のみを開放したボックス状に形成されている。このため、その後方からは指や道具類を差し入れることができないようになっている。従って、ドアブロック４に対して払出ブロック６が閉じられた状態では、施錠装置１２０の施錠状態（第２連動杆と裏カバー部材（即ち払出ブロック６）との係止状態）が不正に解除されることはなく、不正の抑止効果が得られる。
【０１０３】
その他に、裏カバー部材６０１には、払出ブロック６をドアブロック４に装着した状態で固定するためのロック部材６７８が設けられている。このロック部材６７８は、内枠１２に設けられた所定の鉤金具に係止される係止片となっており、施錠装置１２０による施錠を解除した後に、このロック部材の係止状態を解除すれば、ドアブロック４から払出ブロック６を取り外すことができる。
【０１０４】
次いで、図７から図２２を参照して、主制御基板ケース５００、ベース部材６００及び封印手段７００について説明する。図７は、主制御基板ケース５００及びベース部材６００の斜視図であり、ベース部材６００から主制御基板ケース５００が離脱された状態（装着前の状態）が図示されている。
【０１０５】
主制御基板ケース５００は、ＣＰＵやメモリ等の電子部品が実装された主制御基板（図示せず）を収容するための略中空状の箱状体であり、図７に示すように、光透過性材料（本実施の形態では、無色透明な合成樹脂材料）から略直方体形状の箱状体に形成され、その内部に収容した主制御基板を外部から視認可能に構成されている。
【０１０６】
ベース部材６００は、主制御基板ケース５００が装着される台座部材であり、主制御基板ケース５００が電子部品の実装面を外方へ向け前面枠８０に対して起立した状態で装着される（図３参照）。なお、ベース部材６００は、主制御基板ケース５００と同様に、光透過性材料（本実施の形態では、無色透明な合成樹脂材料）から構成されている。
【０１０７】
ベース部材６００には、主制御基板ケース５００が一方向（図７上下方向）へスライド可能に装着され、主制御基板ケース５００の下方（図７下方）へのスライドにより、主制御基板ケース５００がベース部材６００から離脱するように構成されている。
【０１０８】
主制御基板ケース５００及びベース部材６００には、これら各部材５００，６００を取り外し不可能に封印する封印手段（いわゆるかしめ手段）７００としてのケース側封印部７１０及びベース側封印部７２０が設けられており、これら各部７１０，７２０が封印ピン７３０により連結されることで、封印される。
【０１０９】
封印手段７００は、破壊等を伴うことで、その開封（主制御基板ケース５００をベース部材６００から取り外し）が可能となるように構成されている。そのため、開封後には破壊等がなされた形跡が開封履歴として残るため、その開封履歴によって開封事実の確認が可能となっている。なお、封印手段７００の詳細構成については、後述する。
【０１１０】
次いで、図８から図１２を参照して、主制御基板ケース５００について説明する。図８（ａ）は、主制御基板ケース５００の正面図であり、図８（ｂ）は、主制御基板ケース５００の背面図である。
【０１１１】
図９は、主制御基板ケース５００の部分拡大正面図であり、基板側封印部７１０の正面図が図示されている。図１０は、主制御基板ケース５００の部分拡大背面図であり、基板側封印部７１０の背面図が図示されている。
【０１１２】
また、図１１は、主制御基板ケース５００の側面図であり、図８（ａ）の矢印Ｓ１方向視に対応する。図１２は、図８（ａ）のＳ２−Ｓ２線における主制御基板ケース５００の断面図である。
【０１１３】
主制御基板ケース５００は、上述したように、主制御基板（図示せず）を収納するための略中空状の箱状体であり、その主制御基板ケース５００の上方側（図８（ａ）上側）には、図８（ａ）及び図９に示すように、一対の対向壁５０１ａ，５０１ｂが所定間隔を隔てつつ対向して形成されている。
【０１１４】
これら一対の対向壁５０１ａ，５０１ｂ間には、図８（ａ）及び図９に示すように、複数（本実施の形態では４個）の基板側封印部７１０が主制御基板ケース５００の幅方向（図８左右方向）に沿って略等間隔に配設されている。各基板側封印部７１０は、薄板状の連結板７１１ａ，７１１ｂを介して、対向壁５０１ａ，５０１ｂに連結されている（図２３参照）。
【０１１５】
基板側封印部７１０は、後述する封印ピン７３０（第１ピン７５０）が貫通される部材であり、図８から図１０に示すように、両端が開口する筒状体として構成されると共に、その筒状体の外周面に連結板７１１ａ，７１１ｂが連結されている。基板側封印部７１０は、連結板７１１ａ，７１１ｂを切断することで、主制御基板ケース５００から分離される。
【０１１６】
基板側封印部７１０の内周形状は、後述する第１ピン７５０の外形形状に対応して形成されている。即ち、基板側封印部７１０の内周形状は、図９及び図１０に示すように、断面略円形に形成されると共に、その基板側封印部７１０の内周面には、一対の案内溝７１２，７１２が互いに対向する位置に凹設されている。
【０１１７】
これら一対の案内溝７１２，７１２は、後述する第１ピン７５０の第１係止爪７５４を案内するための部位であり、基板側封印部７１０の軸方向（図９及び図１０紙面垂直方向）に沿って延設されると共に、基板側封印部７１０の正面側及び背面側（図９紙面手前側及び紙面奥側）の開口にそれぞれ連通されている。
【０１１８】
これにより、基板側封印部７１０に後述する第１ピン７５０を挿入する場合には、その第１ピン７５０の第１係止爪７５４を基板側封印部７１０の正面側開口から背面側開口まで案内溝７１２によって案内することができ、かかる第１ピン７５０の挿入作業を円滑に行うことができる。
【０１１９】
また、基板側封印部７１０の内周面には、図８（ａ）及び図９に示すように、位置決め凹部７１３が凹設されている。この位置決め凹部７１３は、後述する第１ピン７５０の膨出部７５８ｂを受け入れるための部位であり、基板側封印部７１０の正面側（図９紙面手前側）開口部から基板側封印部７１０の軸方向（図９紙面垂直方向）に沿って所定距離だけ延設されている。
【０１２０】
ここで、基板側封印部７１０に後述する第１ピン７５０を挿入する場合には、位置決め凹部７１３に第１ピン７５０の膨出部７５８ｂが受け入れられることで、基板側封印部７１０に対して第１ピン７５０が位置決めされ、封印が適正に行われる。即ち、作業者は、位置決め凹部７１３に膨出部７５８ｂが嵌っているか否かに基づいて、適正な封印が行われたか判断することができる。
【０１２１】
基板側封印部７１０の背面側（図１０紙面手前側）は、後述するベース側封印部７２０との合わせ面となる部位であり、ベース側封印部７２０の正面側と共に印籠構造を構成する（図２３及び図２４参照）。即ち、基板側封印部７１０の背面側（図１０紙面手前側）には、図１０に示すように、印籠基準面７１４と、その印籠基準面７１４の外周側に立設される印籠立設部７１５と、印籠基準面７１４の外周側に凹設される印籠凹設部７１６とが設けられている。
【０１２２】
これら印籠基準面７１４、印籠立設部７１５及び印籠凹設部７１６は、ベース部材６００に主制御基板ケース５００が装着された状態では、後述するベース側封印部７２０の印籠基準面７２４、印籠凹設部７２６及び印籠立設部７２５にそれぞれ嵌め合わされる。
【０１２３】
なお、印籠基準面７１４は、図１０に示すように、円環状に形成されると共に、案内溝７１２に対応する部位には、径方向外方へ張り出して形成される張出面７１４ａが形成されており、この張出面７１４ａには、第１ピン７５０の第１係止爪７５４が係止される（図２５参照）。また、印籠基準面７１４の外周側は、印籠立設部７１５が張出面７１４ａに対応する範囲まで形成されると共に、その残部に印籠凹設部７１６が形成されている。
【０１２４】
主制御基板ケース５００の側方（図８（ａ）左側）には、複数（本実施の形態では５個）の第１スライダー５１１が配設されると共に、主制御基板ケース５００の背面側（図８（ａ）紙面奥側、図８（ｂ）下側）には、複数（本実施の形態では３個）の第２スライダー５２１が配設されている。
【０１２５】
これら第１及び第２スライダー５１１，５２１は、ベース部材６００に配設される第１及び第２スライド案内部６１１，６２１（図１３参照）にそれぞれ係合する部位であり、部材５１１，６１１の係合および部材５２１，６２１の係合によって、主制御基板ケース５００がベース部材６００に対して一方向（図８（ａ）上下方向）のみに案内される（図２７参照）。
【０１２６】
また、主制御基板ケース５００の側方（図８（ａ）左側）には、複数（本実施の形態では３個）の第１対向部材５３１と、複数（本実施の形態では３個）の第２対向部材５３２とが配設されている。
【０１２７】
これら第１及び第２対向部材５３１，５３２は、主制御基板ケース５００がベース部材６００に封印手段７００によって封印された場合に、ベース部材６００の挿通部６１２ａ，６１３ａに対応して位置することで、この挿通部６１２ａ，６１３ａに挿通された締結部材８００の取り外しを規制するための部材であり（図２７参照）、図８、図１１及び図１２に示すように、主制御基板ケース５００に一体に構成されている。
【０１２８】
第１及び第２対向部材５３１，５３２は、図８、図１１及び図１２に示すように、主制御基板ケース５０の側壁に平行に立設する板状体としてそれぞれ構成されている。第１対向部材５３１は、第１スライダー５１１に連設されている。
【０１２９】
また、第２対向部材５３２には、図８、図１１及び図１２に示すように、所定間隔を隔てつつ対向する一対の遮蔽板５３２ａ，５３２ａが立設されている。これら一対の遮蔽板５３２ａ，５３２ａは、図１１に示すように、主制御基板ケース５００のスライド方向（図１１左右方向）に沿って延設されている。
【０１３０】
ここで、第２対向部材５３２は、主制御基板ケース５００をベース部材６００に対して所定位置（第１位置）に配置する場合に、後述するベース部材６００の案内保持部材６４１（図１３又は図１６参照）に案内及び保持される部位である。即ち、主制御基板ケース５００をベース部材６００に対して所定位置（第１位置）に配置する場合には、第２対向部材５３２の側面（図１１右側面）が案内保持部材６４１の側面（図１６右側面）に当接されつつスライドされることで、主制御基板ケース５００が第１位置へ案内されると共に、当接状態が維持される（案内保持部材６４１上に第２対向部材５３２が載置される）ことで、主制御基板ケース５００が第１位置に保持される。
【０１３１】
次いで、図１３から図１７を参照して、ベース部材６００について説明する。図１３（ａ）は、ベース部材６００の正面図であり、図１３（ｂ）は、ベース部材６００の背面図である。図１４は、ベース部材６００の部分拡大正面図であり、ベース側封印部７２０の正面図が図示されている。
【０１３２】
図１５（ａ）は、ベース部材６００の部分拡大正面図であり、治具部６３１の正面図が図示されている。図１５（ｂ）は、図１５（ａ）のＪ１−Ｊ１線における治具部６３１の断面図であり、図１５（ｃ）は、図１５（ｂ）のＪ２−Ｊ２線における治具部６３１の断面図である。
【０１３３】
また、図１６は、図１３（ａ）のＳ３−Ｓ３線におけるベース部材６００の断面図であり、図１７は、図１３（ａ）のＳ４−Ｓ４線におけるベース部材６００の断面図である。
【０１３４】
ベース部材６００は、上述したように、主制御基板ケース５００が装着される台座部材であり、そのベース部材６００の上方側（図１３（ａ）上側）には、図１３（ａ）及び図１４に示すように、複数（本実施の形態では４個）のベース側封印部７２０がベース部材６００の幅方向（図１３左右方向）に沿って略等間隔に配設されている。
【０１３５】
ベース側封印部７２０は、後述する封印ピン７３０（第１ピン７５０の係合部７５２）が係合される部材であり、図１３及び図１４に示すように、正面側（図１４紙面手前側）が開口すると共に背面側（図１４紙面奥側）が閉封された有底の筒状体として構成されている（図２３及び図２４参照）。
【０１３６】
ベース側封印部７２０の内周形状は、後述する第１ピン７５０（係合部７５２）の外形形状に対応して形成されている。即ち、ベース側封印部７２０の内周形状は、図１３及び図１４に示すように、断面略円形に形成されると共に、そのベース側封印部７２０の内周面には、一対の案内溝７２２，７２２が互いに対向する位置に凹設されている。
【０１３７】
これら一対の案内溝７２２，７２２は、後述する第１ピン７５０の第１係止爪７５４を案内するための部位であり、基板側封印部７１０の正面側（図１４紙面手前側）開口部からベース側封印部７２０の軸方向（図１４紙面垂直方向）に沿って所定距離だけ延設されている。
【０１３８】
また、これら一対の案内溝７２２，７２２は、ベース部材６００に主制御基板ケース５００が装着された状態では、上述した基板側封印部７１０の一対の案内溝７１２，７１２と連通する位置に配置されている。これにより、上述した基板側封印部７１０に第１ピン７５０が挿入された場合には、その第１ピン７５０の第１係止爪７５４をベース側封印部７２０の案内溝７２２によって受け入れると共に案内することができ、かかる第１ピン７５０の挿入作業を円滑に行うことができる。
【０１３９】
更に、これら一対の案内溝７２２，７２２は、上述した基板側封印部７１０の一対の案内溝７１２，７１２よりも凹設寸法が深く形成されている。これにより、第１ピン７５０の第１係止爪７５４がベース側封印部７２０の案内溝７２２内まで挿入された場合には、基板側封印部７１０の案内溝７１２により押圧され挿入孔７５３内へ向けて弾性変形していた第１係止爪７５４がその弾性復元力により径方向外方へ向けて変位すると共に、この変位によって、第１係止爪７５４の係止面７５４ａが基板側封印部７１０の張出面７１４ａに係止される（図２５参照）。
ベース側封印部７２０の正面側（図１４紙面手前側）は、上述したように、ケース側封印部７１０との合わせ面となる部位であり、ケース側封印部７１０の背面側と共に印籠構造を構成する（図２３及び図２４参照）。
【０１４０】
即ち、ベース側封印部７２０の正面側（図１４紙面手前側）には、図１４に示すように、印籠基準面７２４と、その印籠基準面７２４の外周側に立設される印籠立設部７２５と、印籠基準面７２４の外周側に凹設される印籠凹設部７２６とが設けられている。これら印籠基準面７２４、印籠立設部７２５及び印籠凹設部７２６は、上述したケース側封印部７１０の印籠基準面７１４、印籠凹設部７１６及び印籠立設部７１５にそれぞれ嵌め合わされる。
【０１４１】
なお、印籠基準面７２４は、図１４に示すように、円環状に形成されると共に、案内溝７２２に対応する部位には、径方向外方へ張り出して形成される張出面７２４ａが形成されている。この張出面７２４ａは、上述したケース側封印部７１０の張出面７１４ａとの合わせ面となる部位であり、この張出面７２４ａに対応する範囲には印籠立設部７２５及び印籠凹設部７１６が形成されていない。即ち、張出面７２４ａの外周側には、上述したケース側封印部７１０の印籠立設部７１５が位置する。
【０１４２】
治具部６３１は、主制御基板ケース５００から基板側封印部７１０が分離された場合に、その基板側封印部７１０から封印ピン７３０（第２ピン７７０）を取り外すための部位であり、ベース部材６００から主制御基板ケース５００を取り外した場合に露出されるように、ベース部材６００の底面６０１ａに形成されている。
【０１４３】
治具部６３１は、図１５に示すように、ベース部材６００の底面６０１ａからその背面側（図１５（ｂ）及び図１５（ｃ）下側）に膨出して形成されており、凹設空間６３２と、立設円筒部６３４と、架設壁６３６とを主に備えて構成される。
【０１４４】
凹設空間６３２は、図１５に示すように、ベース部材６００における底面６０１ａの背面側へ治具部６３１が膨出することで形成される断面円形の空間であり、主制御基板ケース５００に対向する側（図１５（ｂ）及び図１５（ｃ）上側）が開放されると共に、後述する立設円筒部６３３によって、内周側空間６３２ａと外周側空間６３２ｂとに区画されている。
【０１４５】
内周側空間６３２ａは、後述するように、封印ピン７３０（第１ピン７５０の係合部７５２及び第２ピン７７０の第２係止爪７７１）が挿入される部位である（図２８から図３０参照）。立設円筒部６３４は、図１５に示すよう、治具部６３１の底部６３３から立設される断面円環状の立設壁であり、立設方向先端側となる先端面６３４ａには、一対の先端凹部６３５が凹設されている。
【０１４６】
先端凹部６３５は、封印ピン７３０が内周側空間６３２ａに挿入される場合に、第１ピン７５０の第１係止爪７５４を逃がすための空間であり（図２８から図３０参照）、図１５に示すように、互いに対向する位置（即ち、周方向に１８０度ずれた位置）において、第１係止爪７５４よりも若干幅広に形成されている。
【０１４７】
架設板６３６は、封印ピン７３０が内周側空間６３２ａに挿入される場合に、爪係止部７５５ａによる第２係止爪７７１の係止を解除すると共に、第２ピン７７０を上方へ押し戻すための部位であり（図２８から図３０参照）、図１５に示すように、立設円筒部６３４の内周面側に架設され、解除面６３６ａと、押圧面６３６ｂとを備える。
【０１４８】
解除面６３６ａは、第２係止爪７７１の傾斜面７７１ｂに当接することで、かかる第２係止爪７７１を両側から押し縮めるための部位であり、図１５に示すように、所定間隔を隔てた位置に一対が配設されている。押圧面６３６ｂは、第２係止爪７７１の先端が当接されることで、第２ピン７７０を上方へ押し戻すための部位であり、解除面６３６ａから底部６３３側へ後退する位置に配設されている。
【０１４９】
このように、露出部６３１は、主制御基板ケース５００をベース部材６００に封印した状態では主制御基板ケース５００により遮蔽され、ベース部材６００から主制御基板ケース５００を取り外した場合に露出される構成であるので（図１３、図２３及び図２４等参照）、治具部６３１が不正に使用されて、封印ピン７３０が基板側封印部７１０等から取り外されることを抑制することができると共に、基板側封印部７１０等から封印ピン７３０を取り外す際には、その取り外し作業を容易とし、利便性の向上を図ることができる。
【０１５０】
即ち、通常の状態では、主制御基板ケース５００がベース部材６００に装着されることで、治具部６３１の開放面側が主制御基板ケース５００の裏面側によって遮蔽される。更に、通常の状態では、主制御基板ケース５００がベース部材６００に封印手段７００によって封印されているので、主制御基板ケース５００を取り外すこともできない。これにより、通常の状態では、治具部６３１に安易に触れることができないので、治具部６３１が不正に使用されて、封印ピン７３０が取り外されることを抑制することができる。
【０１５１】
一方、封印ピン７３０を基板側封印部７１０等から取り外すのは、基板側封印部７１０を主制御基板ケース５００及びベース部材６００から切り離して、封印手段７００を解除した場合である。この場合には、主制御基板ケース５００がベース部材６００から取り外され、図１３に示すように、治具部６３１が露出されるので、この治具部６３１を簡単に使用することができる。これにより、基板側封印部７１０から封印ピン７３０を取り外す作業を容易として、利便性の向上を図ることができる。
【０１５２】
ここで、ベース部材６００は、底面６０１ａの背面側に立設されるリブ板（図示せず）を備え、底面６０１ａの背面側（図１５（ｂ）及び図１５（ｃ）下側）に膨出して形成された治具部６３１がリブ板によって取り囲まれるように構成されている。これにより、治具部６３１をリブ板によって遮蔽して、外部から安易に触れられることを困難とすることができるので、治具部６３１が不正に使用されて、封印ピン７３０が基板側封印部７１０等から取り外されることを抑制することができる。
【０１５３】
また、図１５（ｂ）及び図１５（ｃ）に示すように、治具部６３１を底面６０１の背面側（図１５（ｂ）及び図１５（ｃ）下側）に膨出させる構成とすることで、底面６０１の前面側に突起物が形成されることを回避して、主制御基板ケース５００との対向間隔を狭くすることができる。これにより、治具部６３１を安易に触れられないようにすることができると共に、ベース部材６００と主制御基板ケース５００との取付け構造（特に、これら両部材５００，６００の対向面側の構造）を簡素化して、製造コストの削減と小型化とを図ることができる。
【０１５４】
なお、治具部６３１を使用した封印ピン７３０の取り外し方法については、図２８から図３０を参照して後述する。
【０１５５】
ベース部材６００の上方及び両側（図１３（ａ）上側及び左右）には、底面６０１ａから側壁６０１ｂ，６０１ｃ，６０１ｄがそれぞれ立設されると共に、互いに対向する側壁６０１ｃ，６０１ｄの一方には、複数（本実施の形態では５個）の第１スライド案内部６１１が配設されると共に、他方には複数（本実施の形態では３個）の第２スライド案内部６２１が配設されている。
【０１５６】
これら第１及び第２スライド案内部６１１，６２１は、上述したように、主制御基板ケース５００に配設される第１及び第２スライダー５１１，５２１（図８参照）にそれぞれ係合する部位であり、部材５１１，６１１の係合および部材５２１，６２１の係合によって、主制御基板ケース５００がベース部材６００に対して一方向（図１３（ａ）上下方向）のみに案内される（図２７参照）。
【０１５７】
ここで、第１案内部６１１の一部（本実施の形態では図１３（ａ）の上方から２番目、３番目及び５番目）に対応する位置には、図１６及び図１７に示すように、取付け部６１２，６１３が形成されている。これら取付け部６１２，６１３は、ベース部材６００を前面枠５０１へ取り付ける際にその前面枠５０１に当接される部位であり（図２７参照）、円筒状に形成されると共に、側壁６０１ｃの外方へ突出して形成されている。
【０１５８】
取付け部６１２，６１３の内周側には、図１６及び図１７に示すように、挿通部６１２ａ，６１３ａが連通されている。この挿通部６１２ａ，６１３ａは、ベース部材６００を前面枠５０１に締結固定するための締結部材８００が挿通される部位であり（図２７参照）、側壁６０１ｃを貫通して形成されている。
【０１５９】
このように、ベース部材６００の前面枠５０１への取付けは、締結部材８００による締結固定で行う構成であるので、ベース部材６００を前面枠５０１に強固に装着することができると共に、その取付けコストの抑制を図ることができる。なお、本実施の形態では、前面枠５０１に形成されためねじ部に螺合されるおねじ部を有するねじ部材により締結部材８００を構成したが、例えば、いわゆるタッピングねじ、破断トルクねじ、ワンウェイねじ等により構成しても良い。
【０１６０】
ここで、挿通部６１２ａ，６１３ａに対応する位置には、ベース部材６００に主制御基板ケース５００が封印手段７００により封印された場合に、上述した主制御基板ケース５００の第１及び第２対向部材５３１，５３２が配置され、これにより、挿通部６１２ａ，６１２ｂに挿通された締結部材８００の取り外しが規制される（図２７参照）。
【０１６１】
また、挿通部６１２ａ，６１３ａの側方には、図１３及び図１６に示すように、案内保持部材６４１が立設されている。この案内保持部材６４１は、ベース部材６００に対して主制御基板ケース５００を所定位置（第１位置）に配置する場合に、主制御基板ケース５００の第２対向部材５３２を案内及び保持するための部材であり、ベース部材６００の底面６０１ａと側壁６０１ｃとを連結する板状体として構成されている。
【０１６２】
次いで、図１８から図２２を参照して、封印ピン７３０について説明する。図１８（ａ）及び図１８（ｂ）は、封印ピン７３０の斜視図である。なお、図１８（ａ）では第１ピン７５０に第２ピン７７０が挿入される前の状態が、図１８（ｂ）では第１ピン７５０に第２ピン７７０が挿入された後の状態が、それぞれ図示されている。
【０１６３】
図１９（ａ）は、後端面７５６視における第１ピン７５０の正面図であり、図１９（ｂ）は、第１ピン７５０の側面図である。また、図２０（ａ）は、第１ピン７５０の側面図であり、図２０（ｂ）は、先端面７５５視における第１ピン７５０の背面図である。
【０１６４】
なお、図１９（ａ）及び図１９（ｂ）は、それぞれ図１８（ｂ）の矢印Ａ方向視及び矢印Ｂ方向視に対応し、図２０（ａ）及び図２０（ｂ）は、それぞれ図１８（ｂ）の矢印Ｃ方向視及び図２０（ａ）の矢印Ｄ方向視に対応する。
【０１６５】
図２１（ａ）は、後端面７７５視における第２ピン７７０の正面図であり、図２１（ｂ）は、第２ピン７７０の側面図である。また、図２２（ａ）は、第２ピン７７０の側面図であり、図２２（ｂ）は、先端面視における第２ピン７７０の背面図である。
【０１６６】
なお、図２１（ａ）及び図２１（ｂ）は、それぞれ図１８（ｂ）の矢印Ａ方向視及び矢印Ｂ方向視に対応し、図２２（ａ）及び図２２（ｂ）は、それぞれ図１８（ｂ）の矢印Ｃ方向視及び図２２（ａ）の矢印Ｅ方向視に対応する。
【０１６７】
封印ピン７３０は、上述した基板側封印部７１０及びベース側封印部７２０と共に封印手段７００を構成すると共に、これら両封印部７１０，７２０を連結するための部材であり、図１８に示すように、第１ピン７５０と、その第１ピン７５０に挿入される第２ピン７７０とを備える。
【０１６８】
第１ピン７５０は、基板側封印部７１０を貫通した状態でベース側封印部７２０に係合される部材であり（図２４及び図２５参照）、光透過性材料（本実施の形態では、有色透明な合成樹脂材料）から略筒状の棒状体として形成され、その内部（挿入孔７５３）に挿入された第２ピン７７０を外部から視認可能に構成されている。
【０１６９】
第１ピン７５０は、図１８から図２０に示すように、貫通部７５１と、係合部７５２と、挿入孔７５３と、第１係止爪７５４とを主に備える。貫通部７５１は基板側封印部７１０に貫通される部位であると共に、係合部７５２はベース側封印部７２０に係合される部位であり、これら貫通部７５１と係合部７５２とは、同軸状に接続されている。
【０１７０】
挿入孔７５２は、第２ピン７７０が挿入される部位であり、図１８から図２０に示すように、貫通部７５１から係合部７５２にかけて貫通形成される断面略円形の貫通孔である。即ち、挿入孔７５２は、第１ピン７５０の後端面７５６及び先端面７５５にそれぞれ開口されている。
【０１７１】
第１係止爪７５４は、基板側封印部７１０の張出面７１４ａ（図１０参照）に係止される部位であり、図１８から図２０に示すように、第１ピン７５０の側面に開口形成された一対の開口部７５７内にそれぞれ１個ずつ計２個が配設され、この開口部７５７内において変位可能に構成されている。
【０１７２】
即ち、図１８から図２０に示すように、開口部７５７は、挿入孔７５３に連通され、第１係止爪７５４は、一端側（図１９（ｂ）及び図２０（ａ）左側）のみが開口部７５７の周縁に片持ち支持されると共に、他端側（図１９（ｂ）及び図２０（ａ）右側）が自由端となる片持ち梁構造として構成されている。
【０１７３】
これにより、第１係止爪７５４は、その一端側を支点としつつ、他端側を挿入孔７５３内へ入り込む方向又は挿入孔７５１から離れる方向（図１９（ｂ）紙面垂直方向、図２０（ａ）上下方向）へ揺動可能となる。なお、後述するように、挿入孔７５３内に第２ピン７７０が挿入された場合には、この第２ピン７７０によって、第１係止爪７５４の挿入孔７５３内へ入り込む方向（即ち、第１係止爪７５４の係止が解除される方向）への変位（揺動）が規制（拘束）される。
【０１７４】
第１係止爪７５４の他端側（図１９（ｂ）及び図２０（ａ）右側）には、図１８から図２０に示すように、外方へ張り出して形成される係止面７５４ａと、その係止面７５４ａの張り出し側から他端側へ向けてテーパー状に傾斜する傾斜面７５４ｂとが形成されている。
【０１７５】
第１ピン７５０が基板側封印部７１０に挿入されると、第１係止爪７５４の傾斜面７５４ｂが基板側封印部７１０の案内溝７１２によって押圧されることで、第１係止爪７５４が挿入孔７５３内へ入り込む方向へ変位される。そして、第１ピン７５０が更に挿入されて、傾斜面７５４ｂがベース側封印部７２０の案内溝７２２に到達する（係止面７５４ａを通過する）と、第１係止爪７５４が弾性復元力により挿入孔７５３から離れる方向へ変位し、係止面７５４ａが張出面７１４ａに係止される（図２５参照）。
【０１７６】
第１ピン７５０の貫通部７５１には、図１８から図２０に示すように、挿通孔７５３の内周面に凹部７５８ａが凹設され、この凹部７５８の凹設により、第１品７５０（貫通部７５１）の外周面側には、膨出部７５８ｂが径方向外方へ膨出して形成されている。
【０１７７】
凹部７５８ａは、図１８に示すように、後述する第２ピン７７０の凸部７７３を受け入れるための部位であり、第１ピン７５０の後端面７５６から軸方向（図１９（ａ）紙面垂直方向、図２０（ｂ）左右方向）に沿って所定距離だけ延設されている。
【０１７８】
また、膨出部７５８ｂは、上述した基板側封印部７１０の位置決め凹部７１３（図９参照）に嵌め込まれる部位であり（図２５参照）、図２０（ｂ）に示すように、第１ピン７５０の軸方向視において、第１係止爪７５４と重なる位置に配設されると共に、第１係止爪７５４よりも若干幅寸法（図２０（ｂ）左右方向寸法）が大きな寸法に形成されている。
【０１７９】
また、第１ピン７５０の貫通部７５１には、一対のスリット７５９，７５９が形成されている。このスリット７５９は、図１８に示すように、後述する第２ピン７７０の嵌合部７７４を受け入れるための部位であり、凹部７５８ａから略９０度だけ周方向へずれた位置において、第１ピン７５０の後端面７５６から軸方向（図１９（ａ）紙面垂直方向、図２０（ｂ）左右方向）に沿って所定距離だけ延設されている。
【０１８０】
第１ピン７５０の係合部７５２には、図１８から図２０に示すように、一対の爪係止部７５５ａ，７５５ａが形成されている。この爪係止部７５５ａは、図１８に示すように、後述する第２ピン７７０の第２係止爪７７１を係止するための部位であり、第１ピン７５０の先端面７５５に形成されている。
【０１８１】
なお、第１ピン７５０の先端面７５５は、図１８から図２０に示すように、爪係止部７５５ａがその爪係止部７５５ａを除く部位（残部７５５ｂ）に対して後端面７５６側（図２０（ａ）左側、図２０（ｂ）紙面奥側）へ後退して形成されている。
【０１８２】
また、第１ピン７５０の係合部７５２には、一対のスリット７６０，７６０が形成されている。このスリット７６０は、係合部７５２を拡径させることで、挿入孔７５３に挿入された第２ピン７７０を抜き取る際の作業性の向上を図るための部位であり（図３１参照）、図１８から図２０に示すように、爪係止部７５５ａと一致する位置において、その爪係止部７５５ａから軸方向（図２０（ａ）左右方向、図１９（ｂ）紙面垂直方向、）に沿って所定距離（本実施の形態では、開口部７５７と側面視において重なる位置まで）だけ延設されている。
【０１８３】
第２ピン７７０は、図１８に示すように、第１ピン７５０の挿入孔７５３に挿入される部材であり（図２６参照）、光非透過性材料（本実施の形態では、有色非透明な合成樹脂材料）から有底円筒状の棒状体として形成されると共に、図１８から図２０に示すように、第２係止部７７１と、変位規制部７７２と、凸部７７３と、嵌合部７７４とを主に備える。
【０１８４】
第２係止爪７７１は、第１ピン７５０の爪係止部７５５ａに係止される部位であり、図１８、図２１及び図２２に示すように、第２ピン７７０の先端側（図２１（ｂ）及び図２２（ａ）右側）に計２個が所定間隔を隔てつつ互いに対向して配設されている。
【０１８５】
この第２係止爪７７１は、一端側（図２１（ｂ）及び図２２（ａ）左側）のみが片持ち支持されると共に、他端側（図２１（ｂ）及び図２２（ａ）右側）が自由端となる片持ち梁構造として構成されている。これにより、一対の第２係止爪７７１，７７１は、その一端側を支点としつつ、他端側を互いに近づく方向又は離れる方向（図２１（ｂ）上下方向、図２２（ａ）紙面垂直方向）へ揺動可能となる。
【０１８６】
第２係止爪７７１の他端側（図２１（ｂ）及び図２２（ａ）右側）には、図１８、図２１及び図２２に示すように、外方へ張り出して形成される係止面７７１ａと、その係止面７７１ａの張り出し側から他端側へ向けてテーパー状に傾斜する傾斜面７７１ｂとが形成されている。
【０１８７】
第２ピン７７０が第１ピン７５０の挿入孔７５３に挿入されると、第２係止爪７７１の傾斜面７７１ｂが挿入孔７５３の内周面によって押圧されることで、第２係止爪７７１が倒れ込みむと共に、第２ピン７７０が更に挿入されて、傾斜面７５４ｂが第１ピン７５０の爪係止部７５５ａを通過すると、第２係止爪７７１の倒れ込みが弾性復元力により回復して、係止面７７１ａが爪係止部７５５ａに係止される（図２５参照）。
【０１８８】
変位規制部７７２は、第２ピン７７０が第１ピン７５０の挿入孔７５３に挿入された場合に、その第１ピン７５０の第１係止爪７５４の変位を規制（拘束）するための部位であり、挿入孔７５３の内径に対応する外径を有する棒状体として構成され、第２係止爪７７１の基部側（一端側）に接続されている。
【０１８９】
第２ピン７７０が第１ピン７５０の挿入孔７５３に挿入されると共に、第２係止爪７７１が第１ピン７５０の爪係止部７５５ａに係止されると、変位規制部７７２は、第１ピン７５０の開口部７５７を臨む位置、即ち、第１係止爪７５４の裏面側に配置される。これにより、第１係止爪７５４を挿入孔７５３内へ入り込む方向へ変位（揺動）させようとした場合には、第１係止爪７５４の裏面側が変位規制部７７２に当接されることで、その変位（揺動）を規制（拘束）することができる。
【０１９０】
凸部７７３は、第１ピン７５０の凹部７５８ａに嵌り込むことで、第１ピン７５０に対する第２ピン７７０の位置決めを行うための部位であり、図１８、図２１及び図２２に示すように、第２ピン７７０の外周面側から径方向外方へ張り出して形成されると共に、第２ピン７７０の後端面７７５から軸方向（図２１（ａ）紙面垂直方向、図２２（ａ）左右方向）に沿って所定距離（凹部７５８ａに対応する長さ）だけ延設されている。
【０１９１】
嵌合部７７４は、第１ピン７５０のスリット７５９に嵌り込むことで、基板側封印部７１０の内周面との間に隙間が形成されることを抑制するための部位であり、図１８、図２１及び図２２に示すように、第２ピン７７０の外周面側から一対が径方向外方へ張り出して形成されている。
【０１９２】
この嵌合部７７４は、図１８、図２１及び図２２に示すように、第２ピン７７０の後端面７７５から軸方向（図２１（ａ）紙面垂直方向、図２２（ａ）左右方向）に沿って所定距離（スリット７５９に対応する長さ）だけ延設されると共に、第２ピン７７０の軸方向視において、第２係止爪７７１と重なる位置に配設されている。
【０１９３】
第２ピン７７０の後端面７７５側には、図１８、図２１及び図２２に示すように、径方向外方へフランジ状に張り出す閉封部７７６が形成されている。この閉封部７７６は、第１ピン７５０の挿入孔７５３内に嵌り込むことで、挿入孔７５３の内周面との間に隙間が形成されることを抑制するための部位であり、正面視円形に形成されている。
【０１９４】
なお、閉封部７５６の厚み寸法（図２１（ｂ）及び図２２（ａ）左右方向寸法）は、凸部７７３及び嵌合部７７４の延設寸法（図２１（ｂ）及び図２２（ａ）左右方向寸法）よりも短くされている。これにより、第２ピン７７０が第１ピン７５０の挿入孔７５３に挿入された場合に、挿通孔７５３へ閉封部７７４を無理なく嵌め込むことができる。
【０１９５】
次いで、以上のように構成された封印手段７００（基板側封印部７１０、ベース側封印部７２０及び封印ピン７３０）を用いて、主制御基板ケース５００をベース部材６００に対して取り外し不可能に封印する構成について説明する。
【０１９６】
図２３及び図２４は、主制御基板ケース５００及びベース部材６００の断面図であり、図２３では主制御基板ケース５００がベース部材６００に対してスライド移動される前の（即ち、第１位置に配置された）状態が、図２４では主制御基板ケース５００がベース部材６００に対してスライド移動されこれらが封印可能位置（第２位置）に配置された状態が、それぞれ図示されている。なお、図２３及び図２４は、図９及び図１４のＬ−Ｌ線における主制御基板ケース５００及びベース部材６００の断面図に対応する。
【０１９７】
同様に、図２５及び図２６は、主制御基板ケース５００及びベース部材６００の断面図であり、図２５では主制御基板ケース５００がベース部材６００に対してスライド移動されこれらが第１ピン７５０のみに連結された状態が、図２６では封印位置に配置された主制御基板ケース５００及びベース部材６００が封印ピン７３０により連結された状態が、それぞれ図示されている。なお、図２５及び図２６は、図９及び図１４のＷ−Ｗ線における主制御基板ケース５００及びベース部材６００の断面図に対応する。
【０１９８】
また、図２７は、主制御基板ケース５００及びベース部材６００の断面図であり、主制御基板ケース５００がベース部材６００に封印手段７００により封印された状態が図示されている。なお、図２７は、図１２及び図１７と同様に、図８及び図１３のＳ２−Ｓ２線及びＳ４−Ｓ４線における主制御基板ケース５００及びベース部材６００の断面図に対応する。
【０１９９】
ベース部材６００に主制御基板ケース５００を封印するに際しては、まず、図２３に示すように、主制御基板ケース５００をベース部材６００に対して第１位置へ配置する。これにより、ベース部材６００の底面６０１ａに主制御基板ケース５００が当接されると共に、ベース部材６００の第１及び第２スライド案内部６１１，６２１（図１３参照）へ主制御基板ケース５００の第１及び第２スライダー５１１，５２１（図８参照）が係合可能となる。
【０２００】
そこで、主制御基板ケース５００をベース部材６００に対してスライドさせることで、これら各部材５１１，６１１等が係合され、主制御基板ケース５００をベース部材６００に対して一方向のみに案内させることができるので、その案内方向に沿って主制御基板ケース５００を更にスライドさせることで、図２４に示すように、主制御基板ケース５００及びベース部材６００を封印可能位置（第２位置）へ配置することができる。
【０２０１】
なお、このように、図２４に示す封印可能位置（第２位置）では、第１及び第２スライダー５１１，５２１が第１及び第２スライド案内部６１１，６２１に係合されていることで、主制御基板ケース５００がベース部材６００から離間する方向（図２４上下方向）へ移動することを規制（拘束）することができる。同様に、上記部材５１１，６１１等の係合によって、主制御基板ケース５００の他の方向（図２４右方向及び紙面垂直方向）への移動も規制（拘束）することができる。
【０２０２】
即ち、主制御基板ケース５００は、図２４に示す封印可能位置では、ベース部材６００に対して、上記した一方向における復路側（図２４左側）への移動のみが可能であるということなので、この復路側への移動を規制（拘束）することができれば、主制御基板ケース５００をベース部材６００に取り外し不可能に封印することができる。
【０２０３】
そこで、本実施の形態では、基板側封印部７１０とベース側封印部７２０とを封印ピン７００（第１及び第２ピン７１０，７２０）によって連結することで、主制御基板ケース５００をベース部材６００に対して取り外し不可能に封印する。
【０２０４】
具体的には、主制御基板ケース５００及びベース部材６００を封印可能位置へ配置した後は、まず、第１ピン７５０の第１係止爪７５４を基板側封印部７１０の案内溝７１２に案内させつつ、第１ピン７５０を基板側封印部７１０へ挿入することで、第１ピン７５０の膨出部７５８ｂを基板側封印部７１０の位置決め凹部７１３に嵌め込む。
【０２０５】
これにより、図２５に示すように、基板側封印部７１０に対する第１ピン７５０の位置決めを行うことができ、第１ピン７５０の第１係止爪７５４（係止面７５４ａ）を基板側封印部７１０の張出面７１４ａに適正に係止させることができる。
【０２０６】
その結果、第１ピン７５０は、図２５に示すように、貫通部７５１（図１８参照）を基板側封印部７１０に貫通させると共に係合部７５２をベース側封印部７２０（図１８）に係合させることで、これら両封印部７１０，７２０を連結して、主制御基板ケース５００をベース部材６００に対して取り外し不可能に封印する。
【０２０７】
図２５に示すように、第１ピン７５０の挿入が完了した後は、次いで、第１ピン７５０の挿入孔７５３へ第２ピン７７０を挿入し、第２ピン７７０の嵌合部７７４を第１ピン７５０のスリット７５９に嵌め込むと共に、第２ピン７７０の凸部７７３を第１ピン７５０の凹部７５８ａに嵌め込む。
【０２０８】
これにより、図２６に示すように、第１ピン７５０に対する第２ピン７７０の位置決めを行うことができ、その第２ピン７７０の第２係止爪７７１（係止面７７１ａ）を第１ピン７５０の爪係止部７５５ａに適正に係止させることができる。
【０２０９】
その結果、図２６に示すように、第２ピン７７０の変位規制部７７２を第１係止爪７５４の裏面側に配置させることができる。よって、第１係止爪７５４を操作して、張出面７１４ａによる係止面７５４ａの係止を解除しようとしても、第１係止爪７５４の裏面側を変位規制部７７２に当接させ、第１係止爪７５４の変位（揺動）を規制（拘束）することができるので、第１ピン７５０の抜き取りを不可能とすることができるので、ベース部材６００に対する主制御基板ケース５００の封印を確実に行うことができる。
【０２１０】
ここで、上述したように、基板側封印部７１０及びベース側封印部７２０は、無色透明な合成樹脂材料から構成されているので、図２６に示すように、第１ピン７５０が基板側封印部７１０及びベース側封印部７２０によって遮蔽されている場合であっても、かかる基板側封印部７１０及びベース側封印部７２０を介して、第１ピン７５０の第１係止爪７５４の状態を視認することができる。
【０２１１】
また、第１ピン７５０は、有色透明（即ち、無色透明よりも光透過性が低い特性）の合成樹脂材料から構成されているので、基板側封印部７１０及びベース側封印部７２０を介してであっても、第１ピン７５０の状態を視認し易くすることができる。
【０２１２】
更に、第２ピン７７０は、有色非透明（即ち、有色透明よりも更に光透過性が低い特性）の合成樹脂材料から構成されているので、図２６に示すように、第２ピン７７０が基板側封印部７１０及びベース側封印部７２０と第１ピン７５０とに遮蔽されている場合であっても、これら基板側封印部７１０及びベース側封印部７２０と第１ピン７５０とを介して、第２ピン７７０の状態を視認し易くすることができる。
【０２１３】
これにより、不正な操作等が第１又は第２ピン７５０，７７０に対して外部から施されていないかの確認を行う際には、かかる確認作業をベース部材６００に主制御基板ケース５００を封印した状態のままで行うことができる。
【０２１４】
以上のように、主制御基板ケース５００がベース部材６００に封印手段７００（基板側封印部７１０、ベース側封印部７２０及び封印ピン７３０）により取り外し不可能に封印されると、図２７に示すように、主制御基板ケース５００の第１及び第２対向部材５３１，５３２がベース部材６００の挿通部６１２ａ，６１３ａと対向する位置に配置させることができる。
【０２１５】
これにより、挿通部６１２ａ，６１３ａに挿通された締結部材８００の取り外しを第１及び第２対向部材５３１，５３２によって阻止して、ベース部材６００を前面枠５０１から取り外せないようにすることができる。その結果、ベース部材６００に設けられた治具部６３１の利用を困難とすることができるので、かかる治具部６３１が不正に使用されて、封印ピン７３０が取り外されることを抑制することができる。
【０２１６】
次いで、封印手段７００（基板側封印部７１０、ベース側封印部７２０及び封印ピン７３０）による封印を解除して、主制御基板ケース５００をベース部材６００から取り外すと共に、封入ピン７３０を取り外す（回収する）ための構成について説明する。
【０２１７】
図２８から図３０は、治具部６３１の使用方法を説明する部分断面模式図であり、図２８では封印ピン７３０を治具部６３１に当接させる前の状態が、図２９では爪係止部７５５ａによる第２係止爪７７１の係止が解除された状態が、図３０では第２ピン７７０が取り外された状態が、それぞれ図示されている。
【０２１８】
主制御基板ケース５００をベース部材６００から取り外すに際しては、まず、連結板７１１ａ，７１１ｂを切断することで、基板側封印部７１０と主制御基板ケース５００の対向壁５０１ａ，５０１ｂ（図９参照）との連結を解除する。これにより、図２８に示すように、基板側封印部７１０を封印ピン７３０（第１及び第２ピン７７０，７７０）と共に主制御基板ケース５００及びベース部材６００から切り離して分離させることができる。
【０２１９】
次いで、切り離した基板側封印部７１０及び封印ピン７３０（以下、「切り離し部品」と称す。）の先端面７５５側を、図２８に示すように、治具部６３１の内周側空間６３２ａ（図１５参照）内へ向けて押し込む。この場合、切り離し部品の回転方向位置は、治具部６３１に対して、第２係止爪７７１の係止面７７１ａが架設板６３６の解除面６３６ａに当接する位置に設定される。
【０２２０】
第２係止爪７７１の係止面７７１ａが架設板６３６の解除面６３６ａに当接可能となった図２８に示す状態から、切り離し部品を治具部６３１へ向けて押し込むと、この押し込み操作に伴って、第２係止爪７７１の傾斜面７７１ｂが解除面６３６ａに当接され、その解除面６３６ａによって第２係止爪７７１が両側から押し縮められることで、図２９に示すように、爪係止部７５５ａによる第２係止爪７７１（係止面７７１ａ）の係止が解除される。
【０２２１】
同時に、第２係止爪７７１の先端（図２９下側端）が、図２９に示すように、治具部６３１の押圧面６３６ｂに当接されることで、第２ピン７７０の変位が規制される。これにより、図２９に示す状態から切り離し部品を治具部６３１へ向けて更に押し込むと、押圧面６３６ｂへの当接によって第２ピン７７０の変位が規制されつつ、第１ピン７５０は内周側空間６３２ａ（図１５参照）内へ押し込まれる。
【０２２２】
その結果、第２係止爪７７１が押し縮められた状態のまま挿入孔７５３内を押し込み方向とは反対方向（図３０上方向）へ向けて押し戻され、図３０に示すように、第２ピン７７０が後端面７７５側が切り離し部品（基板側封印部７１０）の上端面から突出される。このように、治具部６３１を使用することで、第１ピン７５０の爪係止部７５５ａによる第２係止爪７７１の係止を解除して、第１ピン７５０の挿入孔７５３から第２ピン７７０を容易に抜き取ることができる。
【０２２３】
なお、第２ピン７５０の抜き取りに伴って、かかる第２ピン７７０の変位規制部７７２によって変位が規制されていた第１ピン７５０の第１係止爪７５４を変位可能な状態とすることができるので、基板側封印部７１０の張出面７１４ａによる第１係止爪７５４の係止面７５４ａの係止を解除して、第１ピン７５０を基板側封印部７１０から容易に抜き取ることができる。
【０２２４】
以上のように、本発明によれば、封印手段７００（基板側封印部７１０、ベース側封印部７２０及び封印ピン７３０）による封印がなされた場合には、封印ピン７３０（第１ピン及び第２ピン７５０，７７０）の抜き取りを困難として、ベース部材６００に対する主制御基板ケース５００の封印を確実に行うことができる。その一方で、連結板７１１ａ，７１１ｂが切断された場合には、基板側封印部７１０からの封印ピン７３０（第１ピン及び第２ピン７５０，７７０）の抜き取りを容易として、封印ピン７３０を再利用する際の作業性の向上を図ることができる。
【０２２５】
なお、封入ピン７３０の取り外しは、必ずしも治具部６３１を使用する必要はなく、これを使用せずに行うことも当然可能である。治具部６３１を使用しない場合について、図３１を参照して説明する。図３１は、連結板７１１ａ，７１１ｂが切断されることで主制御基板ケース５００から分離された基板側封印部７１０の断面図であり、第２ピン７７０の第２係止爪７７１の係止を解除した状態が図示されている。なお、図３１は、図９のＷ−Ｗ線における主制御基板ケース５００（基板側封印部７１０）の断面図に対応する。
【０２２６】
上述したように、連結板７１１ａ，７１１ｂを切断することで、図３１に示すように、基板側封印部７１０を第１及び第２ピン７７０，７７０と共に主制御基板ケース５００及びベース部材６００から分離させることができる。これにより、ベース側封印部６００によって遮蔽されていた第２ピン７７０の第２係止爪７７１が外部に露出されるので、爪係止部７５５ａによる第２係止爪７７１の係止を解除することで、第１ピン７５０の挿入孔７５３から第２ピン７７０を抜き取る。
【０２２７】
ここで、第１ピン７５０から第２ピン７７０を抜き取る際には、第１ピン７５０の爪係止面７５５ａによる第２係止爪７７１の係止を解除すると共に、この第２係止爪７７１を第１ピン７５０の挿入孔７５３内へ押し入れる必要がある。
【０２２８】
この場合、第１ピン７５０には、一対のスリット７６０，７６０が先端面７５５（爪係止部７５５ａ）から軸方向に延設されており（図２１参照）、かかるスリット７６０の効果によって、図３１に示すように、第１ピン７５０の先端面７５５側を拡径させることができるので、第２係止爪７７１を第１ピン７５０の挿入孔７５３内への押し入れを容易として、第２ピン７７０の抜き取り作業性の向上を図ることができる。
【０２２９】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【０２３０】
上記実施の形態で挙げた数値（例えば、各構成の数量や寸法・角度など）は一例であり、他の数値を採用することは当然可能である。
【０２３１】
上記実施の形態では、主制御基板を収容する主制御基板ケース５００とベース部材６００とを封印手段７００により封印する場合を説明したが、封印手段７００による封印の適用対象は必ずしもこれに限られるものではなく、他の対象に適用することは当然可能である。
【０２３２】
他の対象としては、例えば、他の制御基板（例えば、表示制御基板や払出制御基板など）を収納する基板ケースとベース部材とを封印対象としても良く、或いは、基板ケース自体を封印対象としても良い。
【０２３３】
以下に、本発明の遊技機および変形例を示す。請求項１から１０のいずれかに記載の遊技機において、取付対象に対して回動可能に設けられ、遊技機前面部を構成する遊技機前面体と、その遊技機前面体の前面に設けられ遊技球を貯留する球受け皿と、その球受け皿に貯留された遊技球を取り込む取込手段と、前記球受け皿に遊技球を払い出す払出手段と、周方向に周回すると共に、その周方向に複数種の絵柄が配設された周回体を複数有してなる周回体ユニットと、前記遊技機前面体の前面に設けられ前記各周回体の回転に伴う絵柄の変動表示を視認可能とする窓部と、前記各周回体の回転を開始させるべく操作される始動操作手段と、前記各周回体の回転を停止させるべく操作される停止操作手段と、前記取込手段により予め定められた数の遊技球が取り込まれ、且つ前記始動操作手段が操作された場合に前記各周回体の回転が開始され、前記停止操作手段が操作された場合に前記各周回体の回転が停止されるように制御し、さらに停止後の停止絵柄に応じて前記払出手段による遊技球の払い出しが実行されるように制御する制御基板装置とを備えた遊技機であって、前記遊技機前面体及び前記周回体ユニットのそれぞれに対して後方に回動可能であると共に、回動基端の位置が前記遊技機前面体の回動基端の位置と同じ側となるように設けられた払出用ベース体を有し、その払出用ベース体の背面に前記払出手段を搭載して構成された払出ユニットを備え、更に、前記周回体ユニットを前記各周回体が前記遊技機前面体の背面に対して後方に突出するように取り付け、前記払出用ベース体には、後方へ膨出し、前記払出用ベース体を前記周回体ユニットに対して閉鎖した場合には周回体ユニットを収容する周回体収容部を設け、前記制御基板装置を、前記周回体ユニットと前記周回体収容部の内面との間であって、前記遊技機前面体及び前記払出用ベース体の回動先端側となる前記周回体ユニットの側方位置に配置し、前記払出用ベース体を前記周回体ユニットに対して開放した場合には、周回体ユニットの側方位置にある前記制御基板装置を露出させるようにしたことを特徴とする遊技機１。
【０２３４】
遊技機１によれば、取込手段に予め定められた数の遊技球が取り込まれ、且つ始動操作手段が操作された場合に各周回体の回転が開始される。この各周回体の回転は停止操作手段が操作された場合に停止され、その停止後の停止絵柄に応じて払出手段により球受け皿に対して遊技球が払い出される。そして、これら各周回体の回転や遊技球の払い出しは、制御基板装置による制御に基づいて実行される。
【０２３５】
また、遊技機前面体の背面には払出ユニットが取り付けられており、当該払出ユニットの払出用ベース体の背面に払出手段が搭載されている。すなわち、払出手段が遊技機の最背面側にある。よって、遊技機が設置される島設備からの払出手段に対する遊技球の供給が円滑に行われる。更に、かかる構成において、払出用ベース体には後方へ膨出する周回体収容部が設けられており、当該周回体収容部内に周回体ユニットが収容されている。よって、島設備から供給される遊技球が払出手段に補充されずに散乱したとしてもその遊技球の周回体ユニットへの衝突が阻止される。
【０２３６】
この場合に、制御基板装置は周回体ユニットと周回体収容部との内面との間、即ち、制御基板装置は遊技機前面体の背面側にて払出ユニットの払出用ベース体に収容された状態で配置されている。そして、払出ユニットは施錠装置により遊技機前面体に施錠されている。したがって、制御基板装置を取り出して不正を行おうとしても施錠装置を解錠する必要が生じ、かかる不正行為を行いづらくなる。
【０２３７】
また、上記の通り、制御基板装置は周回体ユニットと周回体収容部の内面との間に配置されている。従って、不正用治具を遊技機前面体の背面側に挿入し制御基板装置に対して不正を行おうとしても周回体ユニットと周回体収容部の内面との間のスペースは比較的狭いため、不正用治具の挿入作業が行いづらくなる。以上より、制御基板装置に対する不正行為の抑制を図ることができる。
【符号の説明】
【０２３８】
１                    遊技機
４                    ドアブロック（遊技機前面体）
６                    払出用ブロック（払出ユニット）
１３                  透明パネル（窓部）
３３                  スタートレバー（始動操作手段）
３５〜３７            ストップスイッチ（停止操作手段）
１２０                施錠装置
１５１                上皿（球受け皿）
３０１〜３０３        取込装置（取込手段）
５０３                リール装置（周回体ユニット、遊技機本体の一部）
５０５                主制御装置（制御基板装置）
５４１                リール（周回体）
６０１                裏カバー部材（払出用ベース体）
６０２                払出機構（払出手段）
６１２                保護カバー部（周回体収容部）
５００                主制御基板ケース（第１部材又は第２部材、基板ケース）
５０１                前面枠（遊技機本体の一部）
５３１                第１対向部材（対向部材）
５３２                第２対向部材（対向部材）
６００                ベース部材（第２部材又は第１部材）
６０１ａ              底面（対向面板）
６０１ｂ〜６０１ｄ    側壁
６１２ａ，６１３ａ    挿通部
６３１                治具部
６３６                架設板
６３６ａ              解除面（当接部の一部）
６３６ｂ              押圧面（当接部の一部）
６４１                案内保持部材（案内板部材、保持部材）
７００                封印手段
７１０                基板側封印部（第１封印部又は第２封印部、封印部）
７１２                案内溝
７１３                位置決め凹部
７１４ａ              張出面（被係止部）
７２０                ベース側封印部（第２封印部又は第１封印部、封印部）
７２２                案内溝
７３０                封印ピン
７５０                第１ピン
７５１                貫通部
７５２                係合部
７５３                挿入孔
７５４                第１係止爪（係止爪）
７５５                先端面
７５５ａ              爪係止部
７５５ｂ              残部
７５６                後端面
７５８ａ              凹部
７５８ｂ              膨出部
７５９                スリット
７６０                スリット
７７０                第２ピン
７７１                第２係止爪
７７２                変位規制部
７７３                凸部
７７４                嵌合部
７７５                後端面
８００                締結部材
【図１】
2014147750.tif 000003
【図２】
2014147750.tif 000004
【図３】
2014147750.tif 000005
【図４】
2014147750.tif 000006
【図５】
2014147750.tif 000007
【図６】
2014147750.tif 000008
【図７】
2014147750.tif 000009
【図８】
2014147750.tif 000010
【図９】
2014147750.tif 000011
【図１０】
2014147750.tif 000012
【図１１】
2014147750.tif 000013
【図１２】
2014147750.tif 000014
【図１３】
2014147750.tif 000015
【図１４】
2014147750.tif 000016
【図１５】
2014147750.tif 000017
【図１６】
2014147750.tif 000018
【図１７】
2014147750.tif 000019
【図１８】
2014147750.tif 000020
【図１９】
2014147750.tif 000021
【図２０】
2014147750.tif 000022
【図２１】
2014147750.tif 000023
【図２２】
2014147750.tif 000024
【図２３】
2014147750.tif 000025
【図２４】
2014147750.tif 000026
【図２５】
2014147750.tif 000027
【図２６】
2014147750.tif 000028
【図２７】
2014147750.tif 000029
【図２８】
2014147750.tif 000030
【図２９】
2014147750.tif 000031
【図３０】
2014147750.tif 000032
【図３１】
2014147750.tif 000033